(57)【要約】無線通信システムにおいて端末がデコーディング（Decoding）を行う方法及び装置に関する。本発明によると、特定パターンに応じて設定された第１復調参照信号（Demodulation Reference Signal：ＤＭＲＳ）及び第２復調参照信号をＤＭＲＳシンボルを介して基地局から受信し、前記第１復調参照信号及び前記第２復調参照信号のそれぞれは、特定アンテナポート上で送信され、他のアンテナポート上で送信される少なくとも１つの他の復調参照信号と同一の時間軸シンボル上に位置し、前記第２復調参照信号の時間軸シンボルの位置は、送信されるデータのサービスタイプによって決定され、前記第１復調参照信号又は前記第２復調参照信号の少なくとも１つを利用して前記データをデコードする方法及び装置を提供することができる。【選択図】図１
2020516155.tif 000002
【特許請求の範囲】
【請求項１】
無線通信システムにおいて端末がデコーディング（Decoding）を行う方法であって、
特定のパターンに応じて設定された第１復調参照信号（Demodulation Reference Signal：ＤＭＲＳ）及び第２復調参照信号をＤＭＲＳシンボルを介して基地局から受信するステップであって、
前記第１復調参照信号及び前記第２復調参照信号のそれぞれは、特定のアンテナポート上で送信され、他のアンテナポート上で送信される少なくとも１つの他の復調参照信号と同一の時間軸シンボル上に位置し、
前記第２復調参照信号の時間軸シンボルの位置は、送信されるデータのサービスタイプによって決定される、ステップと、
前記第１復調参照信号又は前記第２復調参照信号の少なくとも１つを利用して前記データをデコードするステップと、を含む、方法。
【請求項２】
特定の条件を満足する場合、前記第１復調参照信号又は前記第２復調参照信号のうち少なくとも１つの時間軸シンボルの位置は、特定の物理リソースブロック（Physical Resource Block：ＰＲＢ）単位で移動される、請求項１に記載の方法。
【請求項３】
前記特定の条件は、前記サービスタイプによって要求される復調参照信号の個数が第１の個数以上、又は、前記復調参照信号が送信されるアンテナポートの個数が第２の個数以上のうち少なくとも１つである、請求項２に記載の方法。
【請求項４】
前記特定の物理リソースブロック（Physical Resource Block：ＰＲＢ）単位は、前記端末に割り当てられた帯域幅（Band width）によって決定される、請求項２に記載の方法。
【請求項５】
前記特定の物理リソースブロック単位を示す制御情報を基地局から受信するステップをさらに含む、請求項２に記載の方法。
【請求項６】
前記第１復調参照信号又は前記第２復調参照信号は、特定の物理リソースブロックごとにオフ（ＯＦＦ）される、請求項１に記載の方法。
【請求項７】
無線通信システムにおいてデコーディングを行う端末であって、
外部と無線信号を送信及び受信する無線ユニット（Radio Frequency Unit）と、
前記通信部と機能的に結合しているプロセッサと、を含み、
前記プロセッサは、
特定のパターンに応じて設定された第１復調参照信号（Demodulation Reference Signal：ＤＭＲＳ）及び第２復調参照信号をＤＭＲＳシンボルを介して基地局から受信し、
前記第１復調参照信号及び前記第２復調参照信号のそれぞれは、特定のアンテナポート上で送信され、他のアンテナポート上で送信される少なくとも１つの他の復調参照信号と同一の時間軸シンボル上に位置し、
前記第２復調参照信号の時間軸シンボルの位置は、送信されるデータのサービスタイプによって決定され、
前記第１復調参照信号又は前記第２復調参照信号の少なくとも１つを利用して前記データをデコードする、端末。
【請求項８】
特定の条件を満足する場合、前記第１復調参照信号又は前記第２復調参照信号の少なくとも１つの時間軸シンボルの位置は、特定の物理リソースブロック（Physical Resource Block：ＰＲＢ）単位で移動される、請求項７に記載の端末。
【請求項９】
前記特定の条件は、前記サービスタイプによって要求される復調参照信号の個数が第１の個数以上、又は、前記復調参照信号が送信されるアンテナポートの個数が第２の個数以上のうち少なくとも１つである、請求項８に記載の端末。
【請求項１０】
前記特定の物理リソースブロック（Physical Resource Block：ＰＲＢ）単位は、前記端末に割り当てられた帯域幅（Band width）によって決定される、請求項８に記載の端末。
【請求項１１】
前記プロセッサは、前記特定の物理リソースブロック単位を示す制御情報を基地局から受信する、請求項８に記載の端末。
【請求項１２】
前記第１復調参照信号又は前記第２復調参照信号は、特定の物理リソースブロックごとにオフ（ＯＦＦ）される、請求項７に記載の端末。
【発明の詳細な説明】
【技術分野】
【０００１】
本発明は、無線通信システムに関し、より詳細に、無線通信システムにおいてデータのデコーディングのための復調参照信号（Demodulation Reference Signal：ＤＭＲＳ）の生成及びこれを送受信するための方法及び装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によってリソースの不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅に増加した接続デバイス数の収容、非常に低いエンドツーエンドの遅延（End-to-End Latency）、高エネルギー効率をサポートできなければならない。このために、デュアルコネクティビティ（Dual Connectivity）、大規模マルチ入出力（Ｍａｓｓｉｖｅ  ＭＩＭＯ：Massive Multiple Input Multiple Output）、全二重（In-band Full Duplex）、非直交多元接続（ＮＯＭＡ：Non-Orthogonal Multiple Access）、超広帯域（Super wideband）サポート、端末ネットワーキング（Device Networking）等、多様な技術が研究されている。
【発明の概要】
【発明が解決しようとする課題】
【０００４】
本発明は、データのデコーディングのための復調参照信号（Demodulation Reference Signal：ＤＭＲＳ）の生成及び送受信のための方法及び装置を提供することに目的がある。
【０００５】
また、本発明は、ドップラー効果（Doppler Effect）によるＣＰＥ（Common Phase Error）／ＣＦＯ（Carrier Frequency Offset）の値を推定するためのＤＭＲＳの生成及び送受信のための方法及び装置を提供することに目的がある。
【０００６】
また、本発明は、高ドップラー（High Doppler）環境において、チャネル推定のための追加のＤＭＲＳを生成して送受信するための方法及び装置を提供することに目的がある。
【０００７】
また、本発明は、チャネル推定のためのＤＭＲＳ及び追加のＤＭＲＳをリソース領域にマッピングさせるための方法及び装置を提供することに目的がある。
【０００８】
また、本発明は、追加のＤＭＲＳを送信する場合、ＲＳのオーバーヘッドを減少させるためにＤＭＲＳ及び追加のＤＭＲＳを時間領域及び周波数領域に設定する方法及び装置を提供することに目的がある。
【０００９】
また、本発明は、時間領域及び周波数領域にマッピングされるＤＭＲＳ及び追加のＤＭＲＳの密度（density）を調節するための方法及び装置を提供することに目的がある。
【００１０】
本明細書で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【００１１】
具体的に、本発明の一実施形態による端末のデコーディング（Decoding）方法は、特定のパターンに応じて設定された第１復調参照信号（Demodulation Reference Signal：ＤＭＲＳ）及び第２復調参照信号をＤＭＲＳシンボルを介して基地局から受信するステップであって、前記第１復調参照信号及び前記第２復調参照信号のそれぞれは、特定のアンテナポート上で送信され、他のアンテナポート上で送信される少なくとも１つの他の復調参照信号と同一の時間軸シンボル上に位置し、前記第２復調参照信号の時間軸シンボルの位置は送信されるデータのサービスタイプによって決定される、ステップと、前記第１復調参照信号又は前記第２復調参照信号の少なくとも１つを利用して前記データをデコードするステップと、を含む。
【００１２】
また、本発明において、特定の条件を満足する場合、前記第１復調参照信号又は前記第２復調参照信号のうち少なくとも１つの時間軸シンボルの位置は、特定の物理リソースブロック（Physical Resource Block：ＰＲＢ）単位で移動される。
【００１３】
また、本発明において、前記特定の条件は、前記サービスタイプによって要求される復調参照信号の個数が第１の個数以上又は前記復調参照信号が送信されるアンテナポートの個数が第２の個数以上のうち少なくとも１つである。
【００１４】
また、本発明において、前記特定の物理リソースブロック（Physical Resource Block：ＰＲＢ）単位は、前記端末に割り当てられた帯域幅（Band width）によって決定される。
【００１５】
さらに、本発明は、前記特定の物理リソースブロック単位を示す制御情報を基地局から受信するステップをさらに含む。
【００１６】
また、本発明において、前記第１復調参照信号又は前記第２復調参照信号は、特定の物理リソースブロックごとにオフ（ＯＦＦ）される。
【００１７】
また、本発明は、外部と無線信号を送信及び受信する無線ユニットと、前記無線ユニットと機能的に結合されているプロセッサと、を含み、前記プロセッサは、特定のパターンに応じて設定された第１復調参照信号（Demodulation Reference Signal：ＤＭＲＳ）及び第２復調参照信号をＤＭＲＳシンボルを介して基地局から受信し、前記第１復調参照信号及び前記第２復調参照信号のそれぞれは、特定のアンテナポート上で送信され、他のアンテナポート上で送信される少なくとも１つの他の復調参照信号と同一の時間軸シンボル上に位置し、前記第２復調参照信号の時間軸シンボルの位置は、送信されるデータのサービスタイプによって決定され、前記第１復調参照信号又は前記第２復調参照信号の少なくとも１つを利用して前記データをデコードする端末を提供する。
【発明の効果】
【００１８】
本発明はＤＭＲＳを介して、ドップラー効果（Doppler Effect）によるＣＰＥ（Common Phase Error）及びＣＦＯ（Carrier Frequency Offset）値を推定してデータをデコードすることができる効果がある。
【００１９】
また、本発明は、高ドップラー（High Doppler）環境において、追加のＤＭＲＳを介してチャネルを推定することができる効果がある。
【００２０】
また、本発明は、サービスの特性に応じてＤＭＲＳ及び追加のＤＭＲＳをリソース領域にマッピングさせてサービスの要求事項を満足させることができる効果がある。
【００２１】
本発明は、追加のＤＭＲＳを送信する場合、ＤＭＲＳ及び追加のＤＭＲＳの密度を調節してＲＳのオーバーヘッドを減少させることができる効果がある。
【００２２】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２３】
本発明に関する理解を助けるために詳細な説明の一部に含まれる添付図は、本発明に対する実施形態を提供し、詳細な説明と共に本発明の技術的特徴を説明する
【００２４】
【図１】本発明が適用できる無線通信システムにおいて無線フレームの構造を示す。
【図２】本発明が適用できる無線通信システムにおいて１つのダウンリンクスロットに対するリソースグリッド（resource grid）を例示した図である。
【図３】本発明が適用できる無線通信システムにおいてダウンリンクサブフレームの構造を示す。
【図４】本発明が適用できる無線通信システムにおいてアップリンクサブフレームの構造を示す。
【図５】本発明が適用できる無線通信システムにおいてダウンリンクリソースブロック対にマッピングされた参照信号パターンを例示する。
【図６】本発明が適用できるｍｍＷａｖｅを使用する通信システムにおいて利用されるリソース領域構造の一例を示す。
【図７】本明細書で提案する復調参照信号のパターンの一例を示す。
【図８】本明細書で提案する復調参照信号のパターンの一例を示す。
【図９】本明細書で提案するリソース領域にマッピングされる復調参照信号の密度が追加の復調参照信号の密度より大きい場合の一例を示す。
【図１０】本明細書で提案するリソース領域にマッピングされる復調参照信号の密度が追加の復調参照信号の密度より大きい場合の一例を示す。
【図１１】本明細書で提案するリソース領域にマッピングされる復調参照信号の密度が追加の復調参照信号の密度より大きい場合の一例を示す。
【図１２】本明細書で提案するリソース領域にマッピングされる復調参照信号の密度が追加の復調参照信号の密度より大きい場合の一例を示す。
【図１３】本明細書で提案するリソース領域にマッピングされる復調参照信号の密度が追加の復調参照信号の密度より大きい場合の一例を示す。
【図１４】本明細書で提案するリソース領域にマッピングされる復調参照信号の密度が追加の復調参照信号の密度より大きい場合の一例を示す。
【図１５】本明細書で提案するリソース領域にマッピングされる復調参照信号の密度が追加の復調参照信号の密度と等しいかより大きい場合の一例を示す。
【図１６】本明細書で提案するリソース領域にマッピングされる復調参照信号の密度が追加の復調参照信号の密度と等しいかより大きい場合の一例を示す。
【図１７】本明細書で提案するリソース領域にマッピングされる復調参照信号の密度が追加の復調参照信号の密度より小さい場合の一例を示す。
【図１８】本明細書で提案するリソース領域にマッピングされる復調参照信号の密度が追加の復調参照信号の密度より小さい場合の一例を示す。
【図１９】本明細書で提案するリソース領域にマッピングされる復調参照信号の密度が追加の復調参照信号の密度より小さい場合の一例を示す。
【図２０】本明細書で提案する追加の復調参照信号を設定するための方法の一例を示す。
【図２１】本明細書で提案する復調参照信号及び追加の復調参照信号を設定するための方法の一例を示す。
【図２２】本明細書で提案する復調参照信号及び追加の復調参照信号を設定するための方法の一例を示す。
【図２３】本明細書で提案する復調参照信号及び追加の復調参照信号を設定するための方法の一例を示す。
【図２４】本明細書で提案する復調参照信号及び追加の復調参照信号を時間領域において移動（Shifting）させるための方法の一例を示す。
【図２５】本明細書で提案する復調参照信号及び追加の復調参照信号を時間領域において移動（Shifting）させるための方法の一例を示す。
【図２６】本明細書で提案する復調参照信号及び追加の復調参照信号を時間領域において移動（Shifting）させるための方法の一例を示す。
【図２７】本明細書で提案する復調参照信号及び追加の復調参照信号を時間領域において移動（Shifting）させるための方法の一例を示す。
【図２８】本明細書で提案する復調参照信号及び追加の復調参照信号を時間領域において移動（Shifting）させるための方法の一例を示す。
【図２９】本明細書で提案する復調参照信号の多重化方法の一例を示す。
【図３０】本明細書で提案する復調参照信号のパターンを設定する方法の一例を示す。
【図３１】本明細書で提案する復調参照信号及び追加の復調参照信号を生成して送信する方法の一例を示すフローチャートである。
【図３２】本明細書で提案する復調参照信号及び追加の復調参照信号を受信してデータをデコードする方法の一例を示すフローチャートである。
【図３３】本発明が適用できる無線装置の内部ブロック図の一例を示す図である。
【発明を実施するための形態】
【００２５】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的な細部事項を含む。しかしながら、当業者は、本発明がこのような具体的な細部事項がなくても実施できることを理解すべきである。
【００２６】
いくつかの場合、本発明の概念が曖昧になることを避けるために、公知の構造及び装置は省略されるか、または各構造及び装置の核心機能を中心にしたブロック図形式で示されることができる。
【００２７】
本明細書において基地局は、端末と直接的に通信を行うネットワークの終端ノード（terminal node）としての意味を有する。本文書において基地局により行われると説明された特定の動作は、場合によっては、基地局の上位ノード（upper node）により行われても良い。即ち、基地局を含む多数のネットワークノード（network nodes）からなるネットワークにおいて端末との通信のために行われる多様な動作は、基地局または基地局以外の他のネットワークノードにより行われうることは明らかである。「基地局（ＢＳ：Base Station）」は、固定局（fixed station）、ＮｏｄｅＢ、ｅＮＢ（evolved-NodeB）、ＢＴＳ（base transceiver system）、アクセスポイント（ＡＰ：Access Point）などの用語により代替されることができる。また、「端末（Terminal）」は、固定されるか、または移動性を有することができ、ＵＥ（User Equipment）、ＭＳ（Mobile Station）、ＵＴ（user terminal）、ＭＳＳ（Mobile subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に代替されることができる。
【００２８】
以下、ダウンリンク（ＤＬ：downlink）は、基地局から端末への通信を意味し、アップリンク（ＵＬ：uplink）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２９】
以下の説明において用いられる特定の用語は、本発明の理解に役立つために提供されたものであり、このような特定の用語の使用は、本発明の技術的思想から外れない範囲内で他の形態に変更されることができる。
【００３０】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような多様な無線アクセスシステムに利用されることができる。ＣＤＭＡは、ＵＴＲＡ（universal terrestrial radio access）またはＣＤＭＡ２０００のような無線技術（radio technology）により具現化されることができる。ＴＤＭＡは、ＧＳＭ（global system for mobile communications）／ＧＰＲＳ（general packet radio service）／ＥＤＧＥ（enhanced data rates for GSM evolution）のような無線技術により具現化されることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などのような無線技術により具現化されることができる。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡを使用するＥ−ＵＭＴＳ（evolved UMTS）の一部であり、ダウンリンクにおいてＯＦＤＭＡを採用し、アップリンクにおいてＳＣ−ＦＤＭＡを採用する。ＬＴＥ−Ａ（advanced）は、３ＧＰＰ ＬＴＥの進化である。
【００３１】
本発明の実施の形態は、無線アクセスシステムであるＩＥＥＥ ８０２、３ＧＰＰ及び３ＧＰＰ２のうち、少なくとも１つに開示された標準文書により裏付けられることができる。即ち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３２】
説明を明確にするために、３ＧＰＰ ＬＴＥ／ＬＴＥ−Ａを中心に記述するが、本発明の技術的特徴がこれに制限されるのではない。
【００３３】
本発明が適用できる無線通信システム一般
【００３４】
図１は、本発明が適用できる無線通信システムにおいて無線フレームの構造を示す。
【００３５】
３ＧＰＰ ＬＴＥ／ＬＴＥ−Ａでは、ＦＤＤ（Frequency Division Duplex）に適用可能なタイプ１の無線フレーム（radio frame）構造とＴＤＤ（Time Division Duplex）に適用可能なタイプ２の無線フレーム構造を支援する。
【００３６】
図１において無線フレームの時間領域での大きさは、Ｔ＿ｓ＝１／（１５０００＊２０４８）の時間単位の倍数で表現される。ダウンリンク及びアップリンク送信は、Ｔ＿ｆ＝３０７２００＊Ｔ＿ｓ＝１０ｍｓの区間を有する無線フレームから構成される。
【００３７】
図１の（ａ）は、タイプ１の無線フレームの構造を例示する。タイプ１の無線フレームは、全二重（full duplex）及び半二重（half duplex）ＦＤＤに全部適用されることができる。
【００３８】
無線フレーム（radio frame）は、１０個のサブフレーム（subframe）から構成される。１つの無線フレームは、Ｔ＿ｓｌｏｔ＝１５３６０＊Ｔ＿ｓ＝０．５ｍｓ長の２０個のスロットから構成され、各スロットは、０から１９までのインデックスが付与される。１つのサブフレームは、時間領域（time domain）において連続的な２個のスロット（slot）から構成され、サブフレームｉは、スロット２ｉ及びスロット２ｉ＋１から構成される。１つのサブフレームを送信するのにかかる時間をＴＴＩ（transmission time interval）という。例えば、１つのサブフレームの長さは１ｍｓで、１つのスロットの長さは０．５ｍｓでありうる。
【００３９】
ＦＤＤでアップリンク送信及びダウンリンク送信は、周波数ドメインにおいて区分される。全二重ＦＤＤに制限がないことに対し、半二重ＦＤＤ動作において端末は、同時に送信及び受信することができない。
【００４０】
１つのスロットは、時間領域において複数のＯＦＤＭ（orthogonal frequency division through FDM ）シンボルを含み、周波数領域において多数のリソースブロック（ＲＢ：Resource Block）を含む。３ＧＰＰ  ＬＴＥは、ダウンリンクでＯＦＤＭＡを使用するので、ＯＦＤＭシンボルは、１つのシンボル区間（symbol period）を表現するためのものである。ＯＦＤＭシンボルは、１つのＳＣ−ＦＤＭＡシンボルまたはシンボル区間ということができる。リソースブロック（Resource Block）は、リソース割り当て単位で、１つのスロットにおいて複数の連続的な副搬送波（subcarrier）を含む。
【００４１】
図１の（ｂ）は、タイプ２のフレーム構造（frame structure type 2）を示す。
【００４２】
タイプ２の無線フレームは、各１５３６００＊Ｔ＿ｓ＝５ｍｓの長さの２個のハーフフレーム（half frame）から構成される。各ハーフフレームは、３０７２０＊Ｔ＿ｓ＝１ｍｓ長さの５個のサブフレームから構成される。
【００４３】
ＴＤＤシステムのタイプ２のフレーム構造においてアップリンク−ダウンリンク構成（uplink-downlink configuration）は、すべてのサブフレームに対してアップリンクとダウンリンクが割り当てされる（または予約される）かどうかを表す規則である。
【００４４】
表１は、アップリンク−ダウンリンク構成を表す。
【００４５】
【表１】
2020516155.tif 000003
【００４６】
表１を参照すると、無線フレームの各サブフレーム別に、「ｄ」は、ダウンリンク送信のためのサブフレームを表し、「Ｕ」は、アップリンク送信のためのサブフレームを表し、「Ｓ」は、ＤｗＰＴＳ（Downlink Pilot Time Slot）、ガード区間（ＧＰ：Guard Period）、ＵｐＰＴＳ（Uplink Pilot Time Slot）３とおりのフィールドから構成されるスペシャルサブフレーム（special subframe）を表す。
【００４７】
ＤｗＰＴＳは、端末での初期セルサーチ、同期化またはチャネル推定に使用される。ＵｐＰＴＳは、基地局でのチャネル推定と端末のアップリンク送信同期を合わせるのに使用される。ＧＰは、アップリンクとダウンリンクとの間にダウンリンク信号の多重経路遅延によりアップリンクで生じる干渉を除去するための区間である。
【００４８】
各サブフレームｉは、各Ｔ＿ｓｌｏｔ＝１５３６０＊Ｔ＿ｓ＝０．５ｍｓ長のスロット２ｉ及びスロット２ｉ＋１から構成される。
【００４９】
アップリンク−ダウンリンク構成は、７通りに区分されることができ、各構成別にダウンリンクサブフレーム、スペシャルサブフレーム、アップリンクサブフレームの位置及び／又は個数が異なる。
【００５０】
ダウンリンクからアップリンクに変更される時点またはアップリンクからダウンリンクに転換される時点を転換時点（switching point）という。転換時点の周期性（Switch-point periodicity）はアップリンクサブフレームとダウンリンクサブフレームが転換される様相が同一に反復される周期を意味し、５ｍｓまたは１０ｍｓが全てサポートされる。５ｍｓダウンリンク−アップリンク転換時点の周期を有する場合にはスペシャルサブフレームＳはハーフフレーム毎に存在し、５ｍｓダウンリンク−アップリンク転換時点の周期を有する場合には最初のハーフフレームのみに存在する。
【００５１】
全ての構成において、０番、５番サブフレーム、及びＤｗＰＴＳは、ダウンリンク送信のみのための区間である。ＵｐＰＴＳ及びサブフレームサブフレームに直ちに続くサブフレームは常にアップリンク送信のための区間である。
【００５２】
このようなアップリンク−ダウンリンク構成は、システム情報として基地局と端末が全て知っていることができる。基地局はアップリンク−ダウンリンク構成情報が変わる度に構成情報のインデックスのみを送信することによって、無線フレームのアップリンク−ダウンリンク割り当て状態の変更を端末に知らせることができる。また、構成情報は一種のダウンリンク制御情報であって、他のスケジューリング情報と同様にＰＤＣＣＨ（Physical Downlink Control Channel）を介して送信されることができ、放送情報としてブロードキャストチャンネル（broadcast channel）を介してセル内の全ての端末に共通に送信されることもできる。
【００５３】
表２は、スペシャルサブフレームの構成（ＤｗＰＴＳ／ＧＰ／ＵｐＰＴＳの長さ）を示す。
【００５４】
【表２】
2020516155.tif 000004
【００５５】
図１の例示による無線フレームの構造は、１つの例示に過ぎず、無線フレームに含まれる副搬送波の数またはサブフレームに含まれるスロットの数、スロットに含まれるＯＦＤＭシンボルの数は、多様に変更されることができる。
【００５６】
図２は、本発明が適用できる無線通信システムにおいて１つのダウンリンクスロットに対するリソースグリッド（resource grid）を例示した図である。
【００５７】
図２を参照すると、１つのダウンリンクスロットは、時間領域で複数のＯＦＤＭシンボルを含む。ここで、１つのダウンリンクスロットは、７個のＯＦＤＭシンボルを含み、１つのリソースブロックは、周波数領域で１２個の副搬送波を含むのを例示的に述べているが、これに限定されるものではない。
【００５８】
リソースグリッド上において各要素（element）をリソースエレメント（resource element）といい、１つのリソースブロック（ＲＢ：Resource Block）は、１２×７個のリソースエレメントを含む。ダウンリンクスロットに含まれるリソースブロックの数Ｎ＾ＤＬは、ダウンリンク送信帯域幅（bandwidth）に従属する。
【００５９】
アップリンクスロットの構造は、ダウンリンクスロットの構造と同一でありうる。
【００６０】
図３は、本発明が適用できる無線通信システムにおいてダウンリンクサブフレームの構造を示す。
【００６１】
図３を参照すると、サブフレーム内の第１番目のスロットで前の最大３個のＯＦＤＭシンボルが制御チャネルが割り当てられる制御領域（control region）で、残りのＯＦＤＭシンボルは、ＰＤＳＣＨ（Physical Downlink Shared Channel）が割り当てられるデータ領域（data region）である。３ＧＰＰ  ＬＴＥで使用されるダウンリンク制御チャネルの一例としてＰＣＦＩＣＨ（Physical Control Format Indicator Channel）、ＰＤＣＣＨ（Physical Downlink Control Channel）、ＰＨＩＣＨ（Physical Hybrid-ARQ Indicator Channel）などがある。
【００６２】
ＰＣＦＩＣＨは、サブフレームの第１番目のＯＦＤＭシンボルから送信され、サブフレーム内に制御チャネルの送信のために使用されるＯＦＤＭシンボルの数（すなわち、制御領域の大きさ）に関する情報を運ぶ。ＰＨＩＣＨは、アップリンクに対する応答チャネルで、ＨＡＲＱ（Hybrid Automatic Repeat Request）に対するＡＣＫ（Acknowledgement）／ＮＡＣＫ（Not-Acknowledgement）信号を運ぶ。ＰＤＣＣＨを介して送信される制御情報をダウンリンク制御情報（ＤＣＩ：downlink control information）という。ダウンリンク制御情報は、アップリンクリソース割り当て情報、ダウンリンクリソース割り当て情報または任意の端末グループに対するアップリンク送信（Ｔｘ）パワー制御命令を含む。
【００６３】
ＰＤＣＣＨは、ＤＬ−ＳＣＨ（Downlink Shared Channel）のリソース割り当て及び送信フォーマット（これをダウンリンクグラントともいう。）、ＵＬ−ＳＣＨ（Uplink Shared Channel）のリソース割り当て情報（これをアップリンクグラントともいう。）、ＰＣＨ（Paging Channel）でのページング（paging）情報、ＤＬ−ＳＣＨでのシステム情報、ＰＤＳＣＨで送信されるランダムアクセス応答（random access response）のような上位レイヤ（upper-layer）制御メッセージに対するリソース割り当て、任意の端末グループ内の個別の端末に対する送信パワー制御命令の集合、ＶｏＩＰ（Voice over IP）の活性化などを運ぶことができる。複数のＰＤＣＣＨは制御領域内で送信されることができ、端末は複数のＰＤＣＣＨをモニタリングすることができる。ＰＤＣＣＨは、１つまたは複数の連続的なＣＣＥ（control channel elements）の集合で構成される。ＣＣＥは、無線チャンネルの状態に従う符号化率（coding rate）をＰＤＣＣＨに提供するために使われる論理的割り当て単位である。ＣＣＥは、複数のリソースエレメントグループ（resource element group）に対応する。ＰＤＣＣＨのフォーマット及び使用可能なＰＤＣＣＨのビット数はＣＣＥの数とＣＣＥにより提供される符号化率との間の関連付けによって決定される。
【００６４】
基地局は、端末に送信しようとするＤＣＩによってＰＤＣＣＨフォーマットを決定し、制御情報にＣＲＣ（Cyclic Redundancy Check）を付ける。ＣＲＣにはＰＤＣＣＨの所有者（owner）や用途によって固有の識別子（これをＲＮＴＩ（Radio Network Temporary Identifier）という。）がマスキングされる。特定の端末のためのＰＤＣＣＨであれば、端末の固有の識別子、例えばＣ−ＲＮＴＩ（Cell-RNTI）がＣＲＣにマスキングできる。または、ページングメッセージのためのＰＤＣＣＨであれば、ページング指示識別子、例えばＰ−ＲＮＴＩ（Paging-RNTI）がＣＲＣにマスキングできる。システム情報、より具体的にシステム情報ブロック（ＳＩＢ:system information block）のためのＰＤＣＣＨであれば、システム情報識別子、ＳＩ−ＲＮＴＩ（system information RNTI）がＣＲＣにマスキングできる。端末のランダムアクセスプリアンブルの送信に対する応答であるランダムアクセス応答を指示するために、ＲＡ−ＲＮＴＩ（random access-RNTI）がＣＲＣにマスキングできる。
【００６５】
図４は、本発明が適用できる無線通信システムにおいてアップリンクサブフレームの構造を示す。
【００６６】
図４を参照すると、アップリンクサブフレームは、周波数領域で制御領域とデータ領域とに分けることができる。制御領域には、アップリンク制御情報を運ぶＰＵＣＣＨ（Physical Uplink Control Channel）が割り当てられる。データ領域は、ユーザデータを運ぶＰＵＳＣＨ（Physical Uplink Shared Channel）が割り当てられる。単一搬送波特性を維持するために、１つの端末は、ＰＵＣＣＨとＰＵＳＣＨを同時に送信しない。
【００６７】
１つの端末に対するＰＵＣＣＨには、サブフレーム内にリソースブロック（ＲＢ：Resource Block）対が割り当てられる。ＲＢ対に属するＲＢは、２個のスロットの各々において互いに異なる副搬送波を占める。これを、ＰＵＣＣＨに割り当てられたＲＢ対は、スロット境界（slot boundary）から周波数ホッピング（frequency hopping）されるという。
【００６８】
参照信号（ＲＳ：Reference Signal）
【００６９】
無線通信システムにおけるデータは無線チャンネルを介して送信されるので、信号は送信中に歪むことがある。受信端で歪んだ信号を正確に受信するために、受信された信号の歪みはチャンネル情報を用いて補正されなければならない。チャンネル情報を検出するために送信側と受信側が全て知っている信号送信方法と信号がチャンネルを介して送信される時に歪んだ程度を用いてチャンネル情報を検出する方法を主に用いる。前述した信号をパイロット信号または参照信号（ＲＳ：reference signal）という。
【００７０】
また、最近、大部分の移動通信システムでパケットを送信する時、今まで１つの送信アンテナと１つの受信アンテナを使用したことから脱皮し、複数の送信アンテナと複数の受信アンテナを採択して送受信データ効率を向上させることができる方法を使用する。複数の入出力アンテナを用いてデータを送受信する時、信号を正確に受信するために送信アンテナと受信アンテナの間のチャンネル状態が検出されなければならない。したがって、各送信アンテナは個別の参照信号を有しなければならない。
【００７１】
移動通信システムで、ＲＳはその目的によって２つに大別できる。チャンネル情報獲得のための目的のＲＳとデータ復調のために使われるＲＳがある。前者はＵＥがダウンリンクへのチャンネル情報を獲得することにその目的があるので、広帯域に送信されなければならず、特定のサブフレームでダウンリンクデータを受信しないＵＥでもそのＲＳを受信し測定できなければならない。また、これはハンドオーバーなどの測定などのためにも使われる。後者は基地局がダウンリンクを送る時に該当リソースに共に送るＲＳであって、ＵＥは該当ＲＳを受信することによって、チャンネル推定を行うことができ、したがって、データを復調できるようになる。このＲＳはデータが送信される領域に送信されなければならない。
【００７２】
ダウンリンク参照信号は、セル内の全ての端末が共有するチャンネル状態に対する情報獲得及びハンドオーバーなどの測定などのための１つの共通参照信号（CＲＳ：common RS）と特定の端末のみのためにデータ復調のために使われる専用参照信号（ＤＲＳ：dedicated RS）がある。このような参照信号を用いて復調（demodulation）とチャンネル測定（channel measurement）のための情報を提供することができる。即ち、ＤＲＳはデータ復調用のみに使われて、ＣＲＳはチャンネル情報獲得及びデータ復調の２つの目的に全て使われる。
【００７３】
受信側（即ち、端末）は、ＣＲＳからチャンネル状態を測定し、ＣＱＩ（Channel Quality Indicator）、ＰＭＩ（Precoding Matrix Index）及び／又はＲＩ（Rank Indicator）のようなチャンネル品質と関連した指示子を送信側（即ち、基地局）にフィードバックする。ＣＲＳは、セル固有の基準信号（cell-specific RS）ともいう。一方、チャンネル状態情報（ＣＳＩ：Channel State Information）のフィードバックと関連した参照信号をＣＳＩ−ＲＳと定義することができる。
【００７４】
ＤＲＳは、ＰＤＳＣＨ上のデータ復調が必要な場合、リソースエレメントを通じて送信できる。端末は、上位層を通じてＤＲＳの存否を受信することができ、対応するＰＤＳＣＨがマッピングされた時のみ有効である。ＤＲＳを端末固有の参照信号（UE-specific RS）または復調参照信号（ＤＭＲＳ：Demodulation RS）ということができる。
【００７５】
図５は、本発明が適用できる無線通信システムにおけるダウンリンクリソースブロック対にマッピングされた参照信号パターンを例示する。
【００７６】
図５を参照すると、参照信号がマッピングされる単位でダウンリンクリソースブロック対は時間領域で１つのサブフレーム×周波数領域で１２個の副搬送波で示すことができる。即ち、時間軸（ｘ軸）上で１つのリソースブロック対は一般サイクリックプレフィックス（normal CP：normal Cyclic Prefix）の場合、１４個のＯＦＤＭシンボルの長さを有し（図５（ａ）の場合）、拡張サイクリックプレフィックス（extended CP：extended Cyclic Prefix）の場合、１２個のＯＦＤＭシンボルの長さを有する（図５（ｂ）の場合）。リソースブロック格子で、‘０’、‘１’、‘２’、及び「３」と記載されたリソースエレメントＲＥｓは、各々アンテナポートインデックス‘０’、‘１’、‘２’、及び「３」のＣＲＳの位置を意味し、‘Ｄ’と記載されたリソースエレメントはＤＲＳの位置を意味する。
【００７７】
以下、ＣＲＳに対してより詳しく記述すると、ＣＲＳは物理的アンテナのチャンネルを推定するために使われて、セル内に位置した全ての端末が共通に受信できる参照信号として周波数帯域全体に分布される。即ち、このＣＲＳは、cell-specificなシグナルであって、広帯域に対してサブフレーム毎に送信される。また、ＣＲＳはチャンネル品質情報（ＣＳＩ）及びデータ復調のために利用できる。
【００７８】
ＣＲＳは、送信側（基地局）でのアンテナ配列によって多様なフォーマットで定義される。３ＧＰＰ  ＬＴＥシステム（例えば、リリース−８）では基地局の送信アンテナ個数によって最大４個のアンテナポートに対するＲＳが送信される。ダウンリンク信号送信側は単一の送信アンテナ、２つの送信アンテナ、及び４個の送信アンテナのように、３種類のアンテナ配列を有する。例えば、基地局の送信アンテナの個数が２つの場合、０番と１番のアンテナポートに対するＣＲＳが送信され、４個の場合、０〜３番のアンテナポートに対するＣＲＳが各々送信される。
【００７９】
基地局が単一の送信アンテナを使用する場合、単一アンテナポートのための参照信号が配列される。
【００８０】
基地局が２つの送信アンテナを使用する場合、２つの送信アンテナポートのための参照信号は時分割多重化（ＴＤＭ：Time Division Multiplexing）及び／又は周波数分割多重化（ＦＤＭ：Frequency Division Multiplexing）方式を用いて配列される。即ち、２つのアンテナポートのための参照信号は各々が区別されるために互いに異なる時間リソース及び／又は互いに異なる周波数リソースが割り当てられる。
【００８１】
その上、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は単一の送信アンテナ送信、送信ダイバーシティ、閉ループ空間多重化（closed-loop spatial multiplexing）、開ループ空間多重化（open-loop spatial multiplexing）またはマルチユーザ−マルチ入出力アンテナ（Multi-User MIMO）のような送信方式を用いて送信されたデータを復調するために使用できる。
【００８２】
マルチ入出力アンテナがサポートされる場合、参照信号が特定のアンテナポートから送信される時、前記参照信号は参照信号のパターンによって特定されたリソースエレメントの位置に送信され、他のアンテナポートのために特定されたリソースエレメントの位置に送信されない。即ち、互いに異なるアンテナの間の参照信号は互いに重ならない。
【００８３】
リソースブロックにＣＲＳをマッピングする規則は、次の通り定義される。
【００８４】
【数１】
2020516155.tif 000005
【００８５】
数式１で、ｋ及びｌは各々副搬送波インデックス及びシンボルインデックスを示し、ｐはアンテナポートを示す。
2020516155.tif 000006
は１つのダウンリンクスロットでのＯＦＤＭシンボルの数を示し、
2020516155.tif 000007
はダウンリンクに割り当てられた無線リソースの数を示す。ｎｓはスロットインデックスを示し、
2020516155.tif 000008
はセルＩＤを示す。ｍｏｄはモモジュロ（modulo）演算を示す。参照信号の位置は周波数領域で
2020516155.tif 000009
によって変わる。
2020516155.tif 000010
はセルＩＤに従属するので、参照信号の位置はセルによって多様な周波数偏移（frequency shift）の値を有する。
【００８６】
より具体的に、ＣＲＳを通じてチャンネル推定性能を向上させるためにＣＲＳの位置はセルによって周波数領域で偏移できる。例えば、参照信号が３個の副搬送波の間隔で位置する場合、１つのセルでの参照信号は３ｋ番目の副搬送波に割り当てられ、他のセルでの参照信号は３ｋ＋１番目の副搬送波に割り当てられる。１つのアンテナポートの観点から参照信号は周波数領域で６個のリソースエレメント間隔で配列され、更に他のアンテナポートに割り当てられた参照信号とは３個のリソースエレメント間隔で分離される。
【００８７】
時間領域で参照信号は各スロットのシンボルインデックス０から始めて、同一間隔（constant interval）で配列される。時間間隔はサイクリックプレフィックスの長さによって異なるように定義される。一般サイクリックプレフィックスの場合、参照信号はスロットのシンボルインデックス０と４に位置し、拡張サイクリックプレフィックスの場合、参照信号はスロットのシンボルインデックス０と３に位置する。２つのアンテナポートのうち、最大値を有するアンテナポートのための参照信号は１つのＯＦＤＭシンボル内に定義される。したがって、４個の送信アンテナ送信の場合、参照信号アンテナポート０と１のための参照信号はスロットのシンボルインデックス０と４（拡張サイクリックプレフィックスの場合、シンボルインデックス０と３）に位置し、アンテナポート２と３のための参照信号はスロットのシンボルインデックス１に位置する。アンテナポート２と３のための参照信号の周波数領域での位置は２番目のスロットで互いに取り替えられる。
【００８８】
以下、ＤＲＳに対してより詳しく記述すると、ＤＲＳはデータを復調するために使われる。マルチ入出力アンテナ送信で特定の端末のために使われるプリコーディング（precoding）の重みは、端末が参照信号を受信した時、各送信アンテナで送信された送信チャンネルと結合されて対応するチャンネルを推定するために変更無しで使われる。
【００８９】
３ＧＰＰ  ＬＴＥシステム（例えば、リリース−８）は最大４個の送信アンテナをサポートし、ランク１のビームフォーミング（beamforming）のためのＤＲＳが定義される。ランク１のビームフォーミングのためのＤＲＳは、またアンテナポートインデックス５のための参照信号を示す。
【００９０】
リソースブロックにＤＲＳをマッピングする規則は、次の通り定義される。数式２は一般サイクリックプレフィックスである場合を示し、数式３は拡張サイクリックプレフィックスである場合を示す。
【００９１】
【数２】
2020516155.tif 000011
【００９２】
【数３】
2020516155.tif 000012
【００９３】
数式２及び３で、ｋ及びｌは各々副搬送波インデックス及びシンボルインデックスを示し、ｐはアンテナポートを示す。
2020516155.tif 000013
は周波数領域でリソースブロックサイズを示し、副搬送波の数にて表現される。
2020516155.tif 000014
は物理リソースブロックの数を示す。
【００９４】
2020516155.tif 000015
はＰＤＳＣＨ送信のためのリソースブロックの周波数帯域を示す。ｎｓはスロットインデックスを示し、
2020516155.tif 000016
はセルＩＤを示す。ｍｏｄはモジュロ（modulo）演算を示す。参照信号の位置は周波数領域で
2020516155.tif 000017
によって変わる。
2020516155.tif 000018
はセルＩＤに従属するので、参照信号の位置はセルによって多様な周波数偏移（frequency shift）の値を有する。
【００９５】
ＬＴＥシステムの進化発展した形態のＬＴＥ−Ａシステムで、基地局のダウンリンクで最大８個の送信アンテナをサポートできるようにデザインされなければならない。したがって、最大８個の送信アンテナに対するＲＳは、やはりサポートされなければならない。ＬＴＥシステムで、ダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加で定義され、デザインされなければならない。最大８個の送信アンテナポートに対するＲＳは前述したチャンネル測定のためのＲＳとデータ復調のためのＲＳの２種類が全てデザインされなければならない。
【００９６】
ＬＴＥ−Ａシステムをデザインするに当たって、重要な考慮事項のうちの１つはbackward compatibility、即ちＬＴＥ端末がＬＴＥ−Ａシステムでもなんの無理無しでよく動作しなければならず、システムもこれをサポートしなければならないということである。ＲＳ送信観点から見た時、ＬＴＥで定義されているＣＲＳが全帯域にサブフレーム毎に送信される時間−周波数領域で追加で最大８個の送信アンテナポートに対するＲＳが追加で定義されなければならない。ＬＴＥ−Ａシステムで、既存のＬＴＥのＣＲＳのような方式により最大８個の送信アンテナに対するＲＳパターンをサブフレーム毎に全帯域に追加するようになれば、ＲＳのオーバーヘッドが大き過ぎるようになる。
【００９７】
したがって、ＬＴＥ−Ａシステムで新しくデザインされるＲＳは２種類に大別されるが、ＭＣＳ、ＰＭＩなどの選択のためのチャンネル測定の目的のＲＳ（ＣＳＩ−ＲＳ：Channel State Information-RS、Channel State Indication-RSなど）と８個の送信アンテナに送信されるデータ復調のためのＲＳ（ＤＭ−ＲＳ：Data Demodulation-RS）である。
【００９８】
チャンネル測定の目的のＣＳＩ−ＲＳは既存のＣＲＳがチャンネル測定、ハンドオーバーなどの測定などの目的と同時に、データ復調のために使われることとは異なり、チャンネル測定本位の目的のためにデザインされる特徴がある。勿論、これもまたハンドオーバーなどの測定などの目的に使用されることもできる。ＣＳＩ−ＲＳがチャンネル状態に対する情報を得る目的でのみ送信されるので、ＣＲＳとは異なり、サブフレーム毎に送信されなくてもよい。ＣＳＩ−ＲＳのオーバーヘッドを減らすためにＣＳＩ−ＲＳは時間軸上で間欠的に送信される。
【００９９】
データ復調のために、該当時間−周波数領域でスケジューリングされたＵＥに専用（dedicated）にＤＭＲＳが送信される。即ち、特定のＵＥのＤＭ−ＲＳは該当ＵＥがスケジューリングされた領域、即ちデータの受信を受ける時間−周波数領域のみに送信されるものである。
【０１００】
ＬＴＥ−Ａシステムで、ｅＮＢは全てのアンテナポートに対するＣＳＩ−ＲＳを送信しなければならない。最大８個の送信アンテナポートに対するＣＳＩ−ＲＳをサブフレーム毎に送信することはオーバーヘッドがあまり大きいという短所があるので、ＣＳＩ−ＲＳはサブフレーム毎に送信されず、時間軸で間欠的に送信されなければ、そのオーバーヘッドを減らすことができない。即ち、ＣＳＩ−ＲＳは１サブフレームの整数倍の周期を有して周期的に送信されるか、または特定の送信パターンで送信できる。この際、ＣＳＩ−ＲＳが送信される周期やパターンはｅＮＢが設定することができる。
【０１０１】
ＣＳＩ−ＲＳを測定するためにＵＥは必ず自身が属したセルの各々のＣＳＩ−ＲＳアンテナポートに対するＣＳＩ−ＲＳの送信サブフレームインデックス、送信サブフレーム内でＣＳＩ−ＲＳリソースエレメント（ＲＥ）時間−周波数位置、そしてＣＳＩ−ＲＳシーケンスなどに対する情報を知っていなければならない。
【０１０２】
ＬＴＥ−ＡシステムにｅＮＢはＣＳＩ−ＲＳを最大８個のアンテナポートに対して各々送信しなければならない。互いに異なるアンテナポートのＣＳＩ−ＲＳ送信のために使われるリソースは、互いに直交（orthogonal）しなければならない。１つのｅＮＢが互いに異なるアンテナポートに対するＣＳＩ−ＲＳを送信する時、各々のアンテナポートに対するＣＳＩ−ＲＳを互いに異なるＲＥにマッピングすることによってＦＤＭ／ＴＤＭ方式によりこれらのリソースをorthogonalに割り当てることができる。または、互いに異なるアンテナポートに対するＣＳＩ−ＲＳを互いにorthogonalなコードにマッピングさせるＣＤＭ方式により送信することができる。
【０１０３】
ＣＳＩ−ＲＳに関する情報をｅＮＢが自身のセルのＵＥに知らせる時、まず各アンテナポートに対するＣＳＩ−ＲＳがマッピングされる時間−周波数に対する情報を知らせなければならない。具体的に、ＣＳＩ−ＲＳが送信されるサブフレーム番号、またはＣＳＩ−ＲＳが送信される周期、ＣＳＩ−ＲＳが送信されるサブフレームオフセットであり、特定のアンテナのＣＳＩ−ＲＳ  ＲＥが送信されるＯＦＤＭシンボル番号、周波数間隔（spacing）、周波数軸でのＲＥのオフセットまたはシフト値などがある。
【０１０４】
超高周波帯域を利用した通信システム
【０１０５】
ＬＴＥ（Long Term Evolution）／ＬＴＥ−Ａ（LTE Advanced）システムにおいては、端末と基地局のオシレータの誤差の値を要求事項（requirement）と規定し、以下のように記述する。
【０１０６】
−端末機(ＵＥ)側周波数エラー（UE side frequency error）（in TS 36.101）
【０１０７】
端末機（ＵＥ）変調搬送周波数は、１つのタイムスロット（０．５ｍｓ）において観測したとき、Ｅ−ＵＴＲＡノードＢから受信した搬送周波数と比較して±０．１ＰＰＭの範囲内で正確でなければならない（The UE modulated carrier frequency shall be accurate to within±0.1 PPM observed over a period of one time slot(0.5 ms)compared to the carrier frequency received from the E-UTRA Node B）。
【０１０８】
−ｅＮＢ側周波数エラー（eNB side frequency error）（in TS 36.104）
【０１０９】
周波数エラーは、実際のＢＳの送信周波数と指定された周波数との間の差に対する尺度である（Frequency error is the measure of the difference between the actual BS transmit frequency and the assigned frequency.）。
【０１１０】
一方、基地局の種類によるオシレータの正確度は、以下の表３のようである。
【０１１１】
【表３】
2020516155.tif 000019
【０１１２】
従って、基地局と端末との間のオシレータの最大差は±０．１ｐｐｍであり、一方向に誤差が発生した場合、最大０．２ｐｐｍのオフセット値が発生することがある。このようなオフセット値は、中心周波数と乗算されることにより各中心周波数に合うＨｚ単位に変換される。
【０１１３】
一方、ＯＦＤＭシステムにおいては、ＣＦＯの値が周波数トーン間隔により異なって現れ、一般に大きなＣＦＯ値であっても周波数トーン間隔が十分大きいＯＦＤＭシステムにおいて与える影響は相対的に小さい。従って、実際のＣＦＯの値（絶対値）は、ＯＦＤＭシステムに影響を与える相対的な値で表現される必要があり、これを正規化されたＣＦＯ（normalized CFO）という。正規化されたＣＦＯは、ＣＦＯの値を周波数トーン間隔で割った値で表現され、以下の表４は、各中心周波数とオシレータの誤差の値に対するＣＦＯと正規化されたＣＦＯを示す。
【０１１４】
【表４】
2020516155.tif 000020
【０１１５】
表４において中心周波数が２ＧＨｚである場合（例えば、ＬＴＥ Ｒｅｌ−８／９／１０）は周波数トーン間隔（１５ｋＨｚ）を仮定し、中心周波数が３０ＧＨｚ、６０ＧＨｚである場合は、周波数トーン間隔に１０４．２５ｋＨｚを使用することにより、各中心周波数に対してドップラー効果を考慮した性能劣化を防止した。前記表２は単なる例示に過ぎず、中心周波数に対して他の周波数トーン間隔が使用できることは自明である。
【０１１６】
一方、端末が高速で移動する状況や高周波数帯域において移動する状況では、ドップラー拡散（Doppler spread）現象が大きく発生する。ドップラー拡散は、周波数領域における拡散を誘発し、結果的に受信機の立場から受信信号の歪みを発生させる。ドップラー拡散は
2020516155.tif 000021
で表現されることができる。ここで、ｖは端末の移動速度であり、λは送信される電波の中心周波数の波長を意味する。θは受信される電波と端末の移動方向との間の角度を意味する。以下では、θが０である場合を前提にして説明する。
【０１１７】
ここで、コヒーレンス時間（coherence time)は、ドップラー拡散と反比例する関係にある。もし、コヒーレンス時間を時間領域においてチャネル応答の相関関係（correlation）の値が５０％以上である時間間隔と定義する場合、
2020516155.tif 000022
で表現される。無線通信システムにおいては、ドップラー拡散に対する数式とコヒーレンス時間に対する数式との間の幾何平均（geometric mean）を示す以下の数式４が主に利用される。
【０１１８】
【数４】
2020516155.tif 000023
【０１１９】
図６は、本発明が適用できるｍｍＷａｖｅを使用する通信システムにおいて利用されるリソース領域構造の一例を示す。ｍｍＷａｖｅのような超高周波帯域を利用する通信システムは、従来のＬＴＥ／ＬＴＥ−Ａ通信システムとは物理的性質が異なる周波数帯域を使用する。これによって、超高周波帯域を利用する通信システムにおいては、従来の通信システムで利用されるリソース領域の構造と異なる形態のリソース構造が論議されている。図６は、新しい通信システムのダウンリンクリソース構造の例を示す。
【０１２０】
横軸に１４個のＯＦＤＭ（Orthogonal Frequency Division Multiplexing）のシンボルと縦軸に１２個の周波数トーンで構成されるＲＢ（Resource block）対（RB pair）を考慮するとき、最初の２つ（又は、３つ）のＯＦＤＭシンボル６１０は従来と類似して制御チャネル（例えば、ＰＤＣＣＨ（Physical Downlink Control Channel））に割り当てられ、次の１つから２つのＯＦＤＭシンボル６２０はＤＭＲＳ（DeModulation Reference Signal）が割り当てられ、残りのＯＦＤＭシンボル６３０はデータチャネル（例えば、ＰＤＳＣＨ（Physical Downlink Shared Channel））が割り当てられる。
【０１２１】
一方、図６のようなリソース領域構造において前述したＣＰＥ（又は、ＣＦＯ）推定のためのＰＣＲＳ又はＰＮＲＳ又はＰＴＲＳは、データチャネルが割り当てられる領域６３０の一部ＲＥ（Resource Element）に載って端末に送信されることができる。このような信号は、位相雑音を推定するための信号であり、前述したようにパイロット信号でもあり得るし、データ信号が変更されるか複製された信号でもあり得る。
【０１２２】
本発明は、ダウンリンク又はアップリンクにおいてチャネル推定のためのＤＭＲＳを送信する方法を提案する。
【０１２３】
図７及び図８は、本明細書で提案する復調参照信号のパターンの一例を示す。
【０１２４】
図７及び図８に示すように、チャネルを推定するための復調参照信号は、アンテナポートの数によって１つのシンボル又は２つのシンボルにマッピングされることができる。
【０１２５】
具体的に、アップリンクＤＭＲＳ及びダウンリンクＤＭＲＳは、以下の方法で生成されてリソース領域にマッピングされることができる。図７は、タイプ１に応じて物理リソースにマッピングされたアップリンク又はダウンリンクＤＭＲＳの一例を示し、図８は、タイプ２に応じて物理リソースにマッピングされたアップリンク又はダウンリンクＤＭＲＳの一例を示す。
【０１２６】
ＰＵＳＣＨに対する復調参照信号（Demodulation reference signal for PUSCH
【０１２７】
ダウンリンクＤＭＲＳの生成のための参照信号シーケンスｒ（ｍ）は、ＰＵＳＣＨに対する変換プリコーディング（transform precoding）が許容されない場合、下記の数式５により生成される。
【０１２８】
このとき、ＰＵＳＣＨに対する変換プリコーディングが許容されない場合の一例として、ＣＰ−ＯＦＤＭ方式の送信信号を生成する場合があり得る。
【０１２９】
【数５】
2020516155.tif 000024
【０１３０】
ここで、ｃ（ｉ）は、疑似ランダムシーケンス（the pseudo-random sequence）を意味する。
【０１３１】
もし、ＰＵＳＣＨに対する変換プリコーディング（transform precoding）が許容される場合、参照信号シーケンスｒ（ｍ）は以下の数式６により生成される。
【０１３２】
このとき、ＰＵＳＣＨに対する変換プリコーディングが許容される場合の一例として、ＤＦＴ−Ｓ−ＯＦＤＭ方式の送信信号を生成する場合があり得る。
【０１３３】
【数６】
2020516155.tif 000025
【０１３４】
生成されたＰＵＳＣＨのＤＭＲＳは、図７及び図８に示したことと上位層パラメータにより与えられたタイプ１又はタイプ２に応じて物理リソースにマッピングされる。
【０１３５】
このとき、ＤＭＲＳは、アンテナポートの数によって単一シンボル（single symbol）又は二重シンボル（double symbol）にマッピングされることができる。
【０１３６】
もし、変換プリコーディングが許容されない場合、参照信号シーケンスｒ（ｍ）は、下記の数式７により物理リソースにマッピングされることができる。
【０１３７】
【数７】
2020516155.tif 000026
【０１３８】
数式７において、ｌはＰＵＳＣＨ送信の開始に相対的に定義され、
2020516155.tif 000027
2020516155.tif 000028
及び
2020516155.tif 000029
は、下記の表５及び表６により与えられる。
【０１３９】
下記の表５は、タイプ１に対するＰＵＳＣＨのＤＭＲＳのためのパラメータの一例を示す。
【０１４０】
【表５】
2020516155.tif 000030
【０１４１】
下記の表６は、タイプ２に対するＰＵＳＣＨのＤＭＲＳのためのパラメータの一例を示す。
【０１４２】
【表６】
2020516155.tif 000031
【０１４３】
下記の表７は、上位層パラメータＵＬ＿ＤＭＲＳ＿ｄｕｒによる時間領域インデックス
2020516155.tif 000032
とサポートされるアンテナポート
2020516155.tif 000033
の一例を示す。
【０１４４】
【表７】
2020516155.tif 000034
【０１４５】
下記の表８は、ＰＵＳＣＨのＤＭＲＳの開始位置
2020516155.tif 000035
の一例を示す。
【０１４６】
【表８】
2020516155.tif 000036
【０１４７】
ＰＤＳＣＨに対する復調参照信号（Demodulation reference signals for PDSCH）
【０１４８】
ダウンリンクＤＭＲＳの生成のための参照信号シーケンスｒ（ｍ）は、下記の数式８により生成される。
【０１４９】
【数８】
2020516155.tif 000037
【０１５０】
ここで、ｃ（ｉ）は、疑似ランダムシーケンス（the pseudo-random sequence）を意味する。
【０１５１】
生成されたＰＤＳＣＨのＤＭＲＳは、図７及び図８に示したことと上位層のパラメータにより与えられたタイプ１又はタイプ２に応じて物理リソースにマッピングされる。
【０１５２】
このとき、参照信号シーケンスｒ（ｍ）は、下記の数式９により物理リソースにマッピングされることができる。
【０１５３】
【数９】
2020516155.tif 000038
【０１５４】
数式９において、ｌはスロットの開始に相対的に定義され、
2020516155.tif 000039
2020516155.tif 000040
及び
2020516155.tif 000041
は、下記の表１０及び表１１により与えられる。
【０１５５】
時間軸インデックス
2020516155.tif 000042
及びサポートするアンテナポート
2020516155.tif 000043
は、下記の表１２によって上位層パラメータであるＤＬ＿ＤＭＲＳ＿ｄｕｒによって異なる。
2020516155.tif 000044
はマッピングのタイプに応じて表１３で与えられた上位層パラメータＤＬ＿ＤＭＲＳ＿ａｄｄ＿ｐｏｓによって変わる：
【０１５６】
−ＰＤＳＣＨマッピングタイプＡについて：上位層パラメータＤＬ＿ＤＭＲＳ_ｔｙｐｅＡ＿ｐｏｓが３のようである場合、
2020516155.tif 000045
であり、そうでない場合は、
2020516155.tif 000046
である。
【０１５７】
−ＰＤＳＣＨマッピングタイプＢについて：
2020516155.tif 000047
はＤＭＲＳがスケジューリングされたＰＤＳＣＨリソース内の１番目のＯＦＤＭシンボルにマッピングされる。
【０１５８】
下記の表９は、ＰＤＳＣＨのＤＭＲＳ構成タイプ１に対するパラメータの一例を示す。
【０１５９】
【表９】
2020516155.tif 000048
【０１６０】
下記の表１０は、ＰＤＳＣＨのＤＭＲＳ構成タイプ２に対するパラメータの一例を示す。
【０１６１】
【表１０】
2020516155.tif 000049
【０１６２】
下記の表１１は、ＰＤＳＣＨ ＤＭＲＳのＤｕｒａｔｉｏｎであるｌ’の一例を示す。
【０１６３】
【表１１】
2020516155.tif 000050
【０１６４】
下記の表１２は、ＰＤＳＣＨのＤＭＲＳの開始位置の一例を示す。
【０１６５】
【表１２】
2020516155.tif 000051
【０１６６】
上記のようにＯＦＤＭのシンボル単位でＤＭＲＳを設定する場合、速いデコーディング速度のためにシンボルのうち前方のシンボルにＤＭＲＳを設定すると、チャネルの補償に問題が発生する可能性がある。
【０１６７】
すなわち、高ドップラー（High Doppler）環境の場合、１つのスロット（又は、サブフレーム）内でチャネル変化量が大きいため、前方のシンボルに設定されたＤＭＲＳのみを用いて適切なチャネルの補償をすることが困難である。
【０１６８】
従って、このような問題点を解決するために、本発明は、追加のＤＭＲＳを設定し、設定されたＤＭＲＳによりチャネル推定を行ってデータをデコードする方法を提供する。
【０１６９】
また、ＤＭＲＳを追加で設定して送信する場合、ＤＭＲＳの時間軸密度（density）が増加すると、ＲＳのオーバーヘッドが増加する問題が発生する。
【０１７０】
従って、このようなＲＳのオーバーヘッドを減らすためにＤＭＲＳ及び追加のＤＭＲＳを設定する方法を提供する。
【０１７１】
以下、本発明において基本的に設定されるＤＭＲＳを第１ＤＭＲＳ又はｆｒｏｎｔ−ｌｏａｄｅｄ ＤＭＲＳと称し、追加で設定されるＤＭＲＳを第２ＤＭＲＳ又はａｄｄｉｔｉｏｎａｌ ＤＭＲＳと称する。
【０１７２】
図９ないし図１４は、本明細書で提案するリソース領域にマッピングされる復調参照信号の密度が追加の復調参照信号の密度より大きい場合の一例を示す。
【０１７３】
図９ないし図１４に示すように、ｆｒｏｎｔ−ｌｏａｄｅｄ ＤＭＲＳの他にａｄｄｉｔｉｏｎａｌ ＤＭＲＳが設定される場合、ＲＳのオーバーヘッドを減らすためにａｄｄｉｔｉｏｎａｌ ＤＭＲＳの周波数密度を調節することができる。
【０１７４】
図９は、ａｄｄｉｔｉｏｎａｌ ＤＭＲＳとｆｒｏｎｔ−ｌｏａｄｅｄ ＤＭＲＳがＯＦＤＭシンボルに共にマッピングされる場合、ｆｒｏｎｔ−ｌｏａｄｅｄ ＤＭＲＳの周波数密度をｆｒｏｎｔ−ｌｏａｄｅｄ ＤＭＲＳのみがマッピングされる場合と同一に設定し、ａｄｄｉｔｉｏｎａｌ ＤＭＲＳの周波数密度をより小さく設定する方法の一例を示す。
【０１７５】
具体的には、ｆｒｏｎｔ−ｌｏａｄｅｄ ＤＭＲＳの他にａｄｄｉｔｉｏｎａｌ ＤＭＲＳがＯＦＤＭシンボルに追加で設定される場合、ｆｒｏｎｔ−ｌｏａｄｅｄ ＤＭＲＳの周波数軸密度はｆｒｏｎｔ−ｌｏａｄｅｄ ＤＭＲＳのみが設定される場合と同一であり得る。
【０１７６】
しかしながら、ａｄｄｉｔｉｏｎａｌ ＤＭＲＳの周波数軸密度もｆｒｏｎｔ−ｌｏａｄｅｄ ＤＭＲＳの密度と同一になると、ＤＭＲＳの個数の増加によりＲＳのオーバーヘッドが大きく増加する可能性がある。
【０１７７】
従って、ｆｒｏｎｔ−ｌｏａｄｅｄ ＤＭＲＳの他に追加でＯＦＤＭシンボルにａｄｄｉｔｉｏｎａｌ ＤＭＲＳを設定してもＲＳのオーバーヘッドが大きく増加しないようにａｄｄｉｔｉｏｎａｌ ＤＭＲＳの周波数軸密度をｆｒｏｎｔ−ｌｏａｄｅｄ ＤＭＲＳの密度より低く設定することができる。
【０１７８】
例えば、図９の（ａ）に示すように、アンテナポートｐ０及びｐ１に対して３番目のＯＤＦＭシンボル（ｌ＝２）にｆｒｏｎｔ−ｌｏａｄｅｄ ＤＭＲＳが設定される場合、図９の（ｂ）に示すように追加のａｄｄｉｔｉｏｎａｌ ＤＭＲＳが９番目のＯＦＤＭシンボル（ｌ＝８）に設定されても、ｆｒｏｎｔ−ｌｏａｄｅｄ ＤＭＲＳの密度は変わらない。
【０１７９】
しかしながら、ＤＭＲＳの増加によるＲＳのオーバーヘッドを減少させるために、図９の（ｂ）に示すように９番目のＯＦＤＭシンボルに設定されたａｄｄｉｔｉｏｎａｌ ＤＭＲＳは周波数軸にｆｒｏｎｔ−ｌｏａｄｅｄ ＤＭＲＳより低密度（sparse）に設定されることができる。
【０１８０】
すなわち、ａｄｄｉｔｉｏｎａｌ ＤＭＲＳを使用する場合、ｆｒｏｎｔ−ｌｏａｄｅｄ ＤＭＲＳの周波数密度（frequency density）は、ｆｒｏｎｔ−ｌｏａｄｅｄ ＤＭＲＳのみを使用するときの周波数密度と同一の密度に設定し、ａｄｄｉｔｉｏｎａｌ ＤＭＲＳの密度は低密度に設定する。
【０１８１】
このとき、ａｄｄｉｔｉｏｎａｌ ＤＭＲＳの周波数密度に対する可能な候補（possible candidates）は、基地局から端末にＲＲＣシグナリングを介して通知することができる。また、基地局から端末にＤＣＩシグナリングを介して特定の値を通知することにより、該当周波数を構成するようにすることができる。
【０１８２】
例えば、図１０に示す可能なａｄｄｉｔｉｏｎａｌ ＤＭＲＳの周波数密度（frequency density）であるＣ１、Ｃ２、Ｃ３、Ｃ４のうち一部又は全体をＲＲＣシグナリングを介して端末に設定した後、ＤＣＩシグナリングを介して動的に実際ａｄｄｉｔｉｏｎａｌ ＤＭＲＳのパターンを設定することができる。
【０１８３】
このとき、ＲＲＣシグナリングを介して可能なａｄｄｉｔｉｏｎａｌ ＤＭＲＳのパターンの一部パターンを設定する場合、ＤＣＩシグナリングに必要なシグナリングオーバーヘッド（signaling overhead）が減少する可能性がある。
【０１８４】
または、基地局がＲＲＣシグナリングを介して特定のａｄｄｉｔｉｏｎａｌ ＤＭＲＳのパターンを端末に通知する場合、端末はＲＲＣシグナリングを介して構成した特定のパターンに基づいてａｄｄｉｔｉｏｎａｌ ＤＭＲＳを使用する。
【０１８５】
すなわち、ＲＲＣシグナリングを介して、基地局は端末が使用するａｄｄｉｔｉｏｎａｌ ＤＭＲＳのパターンを通知することにより、ＤＣＩシグナリングによるシグナリングオーバーヘッド（signaling overhead）を無くし、上位層シグナリング（higher layer signaling）を介してａｄｄｉｔｉｏｎａｌ ＤＭＲＳのパターンを設定することができる。
【０１８６】
または、送受信端は、既に設定されたパターンによりａｄｄｉｔｉｏｎａｌ ＤＭＲＳを設定することができる。例えば、送受信端は、図１０に示すａｄｄｉｔｉｏｎａｌ ＤＭＲＳのパターンであるＣ１、Ｃ２、Ｃ３及びＣ４のうち、特定のパターンを固定的に使用するように設定されることができる。
【０１８７】
図１１は、ａｄｄｉｔｉｏｎａｌ ＤＭＲＳの周波数密度を時間密度（time density）に応じて設定する方法の一例を示す。
【０１８８】
具体的に、ａｄｄｉｔｉｏｎａｌ ＤＭＲＳが設定される場合、ｆｒｏｎｔ−ｌｏａｄｅｄ ＤＭＲＳの周波数密度は、ｆｒｏｎｔ−ｌｏａｄｅｄ ＤＭＲＳのみが設定される場合と同一であるが、ａｄｄｉｔｉｏｎａｌ ＤＭＲＳの周波数密度はａｄｄｉｔｉｏｎａｌ ＤＭＲＳが設定されるＯＤＦＭシンボル数によって変化し得る。
【０１８９】
例えば、図１１に示すように、アンテナポートｐ０及びｐ１に対して３番目のＯＤＦＭシンボル（ｌ＝２）にｆｒｏｎｔ−ｌｏａｄｅｄ ＤＭＲＳが設定される場合、図１１の（ｂ）ないし（ｄ）に示すように追加のａｄｄｉｔｉｏｎａｌ ＤＭＲＳが設定されても、ｆｒｏｎｔ−ｌｏａｄｅｄ ＤＭＲＳの密度は変化しない。
【０１９０】
しかしながら、ａｄｄｉｔｉｏｎａｌ ＤＭＲＳが追加で設定される場合、図１１の（ｂ）ないし（ｄ）に示すように、ａｄｄｉｔｉｏｎａｌ ＤＭＲＳが設定されるＯＤＦＭシンボル数によってａｄｄｉｔｉｏｎａｌ ＤＭＲＳの周波数密度が変化し得る。
【０１９１】
具体的に、ａｄｄｉｔｉｏｎａｌ ＤＭＲＳが２つのＯＦＤＭシンボルに設定される場合、１つのＯＦＤＭシンボルに設定される場合よりさらに低い密度に設定される。
【０１９２】
このとき、基地局は、ＲＲＣシグナリング及び／又はＤＣＩシグナリングを介してａｄｄｉｔｉｏｎａｌ ＤＭＲＳの時間密度によって決定されるａｄｄｉｔｉｏｎａｌ ＤＭＲＳの周波数密度を端末に通知することができる。
【０１９３】
例えば、ａｄｄｉｔｉｏｎａｌ ＤＭＲＳが設定されるＯＦＤＭシンボルの数によるａｄｄｉｔｉｏｎａｌ ＤＭＲＳの密度が図１０に示すようである場合、基地局は、Ｃ１ないしＣ４のうち１つの設定値をＲＲＣシグナリングを介して端末に通知することができる。
【０１９４】
下記の表１３は、ＲＲＣシグナリングを介して基地局が端末に通知するａｄｄｉｔｉｏｎａｌ ＤＭＲＳの個数による周波数密度の一例を示す表である。
【０１９５】
【表１３】
2020516155.tif 000052
【０１９６】
基地局がａｄｄｉｔｉｏｎａｌ ＤＭＲＳの周波数密度をＤＣＩシグナリングを介して設定する場合、表１３及び図１０のＣ１ないしＣ４のうち少なくとも１つのパターンをＲＲＣシグナリングを介して端末に設定し、複数のパターンがＲＲＣシグナリングを介して設定された場合は、ＤＣＩシグナリングを介して端末が設定されたパターンの１つを使用するよう指示することができる。
【０１９７】
例えば、基地局は、ＲＲＣシグナリングを介してａｄｄｉｔｉｏｎａｌ ＤＭＲＳのパターンとしてパターンＣ１及びＣ２を端末に設定した後、ＤＣＩシグナリングの１ｂｉｔを介してＣ１又はＣ２パターンをａｄｄｉｔｉｏｎａｌ ＤＭＲＳのパターンとして使用するように端末に指示することができる。
【０１９８】
または、送受信端は、事前にａｄｄｉｔｉｏｎａｌ ＤＭＲＳの時間密度（又は、ＯＦＤＭシンボルの個数）によるａｄｄｉｔｉｏｎａｌ ＤＭＲＳのパターンが設定されている可能性がある。
【０１９９】
下記の表１４は、送受信端に既に設定されたＡｄｄｉｔｉｏｎａｌ ＤＭＲＳのパターンの一例を示す。
【０２００】
【表１４】
2020516155.tif 000053
【０２０１】
図１２ないし図１４は、ａｄｄｉｔｉｏｎａｌ ＤＭＲＳの周波数密度を送信レイヤ（layer）の数に応じて設定する方法の一例を示す。
【０２０２】
具体的は、送信レイヤが特定の値より小さい場合、ａｄｄｉｔｉｏｎａｌ ＤＭＲＳの周波数密度はｆｒｏｎｔ−ｌｏａｄｅｄ ＤＭＲＳの周波数密度と同一に設定され、送信レイヤが特定の値より大きい場合、ａｄｄｉｔｉｏｎａｌ ＤＭＲＳの周波数密度はｆｒｏｎｔ−ｌｏａｄｅｄ ＤＭＲＳの周波数密度より小さく設定できる。
【０２０３】
例えば、図１２の（ａ）に示すように、ＤＭＲＳの送信レイヤが３より小さい場合、９番目のＯＦＤＭシンボル（ｌ＝９）に設定されたａｄｄｉｔｉｏｎａｌ ＤＭＲＳは３番目のＯＦＤＭシンボル（ｌ＝２）に設定されたｆｒｏｎｔ−ｌｏａｄｅｄ ＤＭＲＳと同一の周波数密度に設定される。
【０２０４】
しかしながら、図１２の（ｂ）に示すように、ＤＭＲＳがアンテナポートｐ０及びｐ１だけでなく、ｐ２及びｐ３においても送信されて送信レイヤが３以上である場合、９番目のＯＦＤＭシンボル（ｌ＝９）に設定されたａｄｄｉｔｉｏｎａｌ ＤＭＲＳは３番目のＯＦＤＭシンボル（ｌ＝２）に設定されたｆｒｏｎｔ−ｌｏａｄｅｄ ＤＭＲＳより低い周波数密度に設定される。
【０２０５】
基地局は、周波数密度を示す設定値、及び／又はａｄｄｉｔｉｏｎａｌ ＤＭＲＳの周波数密度が変更されるレイヤの個数を示す送信レイヤ情報を、ＲＲＣシグナリング及び／又はＤＣＩシグナリングを介して端末に送信することができる。
【０２０６】
図１３は、基地局が、周波数密度を示す設定値、及び／又はａｄｄｉｔｉｏｎａｌ ＤＭＲＳの周波数密度が変更されるレイヤの個数を示す送信レイヤ情報をＲＲＣシグナリングを介して設定するための方法の一例を示す。
【０２０７】
例えば、設定値が図１０の「Ｃ３」であり、送信レイヤ情報が「５」である場合、基地局は端末に設定値及びレイヤ情報を含むＲＲＣシグナリングを介して端末に送信することができる。
【０２０８】
端末は、基地局から送信されたＲＲＣシグナリングを介して送信レイヤによって使用されるａｄｄｉｔｉｏｎａｌ ＤＭＲＳの周波数密度が分かる。
【０２０９】
もし、送信レイヤが５より小さい場合、９番目（ｌ＝８）、及び１０番目（ｌ＝９）のＯＦＤＭシンボルに設定されるａｄｄｉｔｉｏｎａｌ ＤＭＲＳは、図１３の（ａ）に示すように３番目（ｌ＝２）及び４番目（ｌ＝３）のＯＦＤＭシンボルに設定されるｆｒｏｎｔ−ｌｏａｄｅｄ ＤＭＲＳと同一の周波数密度に設定されることができる。
【０２１０】
しかしながら、送信レイヤが５より大きい場合、９番目（ｌ＝８）、及び１０番目（ｌ＝９）のＯＦＤＭシンボルに設定されるａｄｄｉｔｉｏｎａｌ ＤＭＲＳは、図１３の（ｂ）に示すように３番目（ｌ＝２）及び４番目（ｌ＝３）のＯＦＤＭシンボルに設定されるｆｒｏｎｔ−ｌｏａｄｅｄ ＤＭＲＳより低い周波数密度に設定されることができる。
【０２１１】
例えば、図１０においてＲＲＣシグナリングを介して「Ｃ３」と設定されることができる。
【０２１２】
または、端末は、基地局から送信されたＤＣＩを介して送信レイヤによって用いられるａｄｄｉｔｉｏｎａｌ ＤＭＲＳの周波数密度が分かる。
【０２１３】
すなわち、基地局は、ＲＲＣシグナリングを介して使用可能なａｄｄｉｔｉｏｎａｌ ＤＭＲＳのパターンを示す設定値及びレイヤ情報を送信してａｄｄｉｔｉｏｎａｌ ＤＭＲＳの周波数軸パターンを設定することができる。
【０２１４】
以後、基地局は、ＤＣＩシグナリングを介して端末が特定の個数以上のレイヤにおいて特定のＤＭＲＳパターンを使用するように指示することができる。
【０２１５】
例えば、基地局が端末にＲＲＣシグナリングを介して図１０のＣ１及びＣ２を示す設定値及び「３」の値を有するレイヤ情報を送信して端末のａｄｄｉｔｉｏｎａｌ ＤＭＲＳの周波数パターンを設定することができる。
【０２１６】
以後、基地局は、端末にＤＣＩシグナリングを介してａｄｄｉｔｉｏｎａｌ ＤＭＲＳのパターンとしてＣ１又はＣ２を使用するように指示することができる。図１４の（ａ）は、図１０の「Ｃ２」パターンを使用する一例を示し、（ｂ）は、図１０の「Ｃ３」パターンを使用する一例を示す。
【０２１７】
または、送受信端は、事前に設定された設定値及び／又はレイヤ情報を介してａｄｄｉｔｉｏｎａｌ ＤＭＲＳのパターン及び密度を設定することができる。
【０２１８】
図１５及び図１６は、本明細書で提案するリソース領域にマッピングされる復調参照信号の密度が追加の復調参照信号の密度と等しいかより大きい場合の一例を示す。
【０２１９】
図１５及び図１６に示すように、ｆｒｏｎｔ−ｌｏａｄｅｄ ＤＭＲＳの他にａｄｄｉｔｉｏｎａｌ ＤＭＲＳが設定される場合、ＲＳのオーバーヘッドを減少させるためにｆｒｏｎｔ−ｌｏａｄｅｄ ＤＭＲＳ及び／又はａｄｄｉｔｉｏｎａｌ ＤＭＲＳの密度（density）を調節することができる。
【０２２０】
具体的に、ａｄｄｉｔｉｏｎａｌ ＤＭＲＳとｆｒｏｎｔ−ｌｏａｄｅｄ ＤＭＲＳがＯＦＤＭのシンボルに共にマッピングされる場合、ＤＭＲＳの個数増加によりＲＳのオーバーヘッドが大きく増加する可能性がある。
【０２２１】
従って、ＲＳのオーバーヘッドを減らすために、ｆｒｏｎｔ−ｌｏａｄｅｄ ＤＭＲＳ及びａｄｄｉｔｉｏｎａｌ ＤＭＲＳの周波数密度をｆｒｏｎｔ−ｌｏａｄｅｄ ＤＭＲＳのみがマッピングされる場合より低く設定できる。
【０２２２】
この場合、ａｄｄｉｔｉｏｎａｌ ＤＭＲＳの周波数密度は、ｆｒｏｎｔ−ｌｏａｄｅｄ ＤＭＲＳの周波数密度と等しいがより小さい可能性がある。
【０２２３】
例えば、図１５の（ａ）に示すように、アンテナポートｐ０及びｐ１に対して３番目のＯＤＦＭシンボル（ｌ＝２）にｆｒｏｎｔ−ｌｏａｄｅｄ ＤＭＲＳが設定される場合、図１５の（ｂ）に示すように追加のａｄｄｉｔｉｏｎａｌ ＤＭＲＳが９番目のＯＦＤＭシンボル（ｌ＝８）に設定されると、ｆｒｏｎｔ−ｌｏａｄｅｄ ＤＭＲＳの密度は、図１５の（ａ）より小さく設定される。
【０２２４】
また、ａｄｄｉｔｉｏｎａｌ ＤＭＲＳの周波数密度も図１５の（ａ）に示したｆｒｏｎｔ−ｌｏａｄｅｄ ＤＭＲＳの周波数密度より低密度に設定される。
【０２２５】
基地局は、ｆｒｏｎｔ−ｌｏａｄｅｄ ＤＭＲＳの周波数密度を示す第１設定値、及び／又はａｄｄｉｔｉｏｎａｌ ＤＭＲＳの周波数密度を示す第２設定値をＲＲＣシグナリング及び／又はＤＣＩシグナリングを介して端末に送信することができる。
【０２２６】
基地局がＲＲＣシグナリングを介して第１設定値及び第２設定値を端末に送信する場合、端末は受信された第１設定値及び第２設定値に基づいてｆｒｏｎｔ−ｌｏａｄｅｄ ＤＭＲＳ及びａｄｄｉｔｉｏｎａｌ ＤＭＲＳを設定することができる。
【０２２７】
ＤＣＩシグナリングを介してｆｒｏｎｔ−ｌｏａｄｅｄ ＤＭＲＳ及びａｄｄｉｔｉｏｎａｌ ＤＭＲＳの密度を設定する場合、基地局は、ｆｒｏｎｔ−ｌｏａｄｅｄ ＤＭＲＳ及びａｄｄｉｔｉｏｎａｌ ＤＭＲＳの周波数密度に対する可能な候補（possible candidates）を基地局から端末にＲＲＣシグナリングを介して通知することができる。また、基地局から端末にＤＣＩシグナリングを介して特定の値を通知することにより、該当周波数を構成するようにすることができる。
【０２２８】
下記の表１５は、図１０によるｆｒｏｎｔ−ｌｏａｄｅｄ ＤＭＲＳ及びａｄｄｉｔｉｏｎａｌ ＤＭＲＳの可能な候補（possible candidates）の一例を示す表である。
【０２２９】
【表１５】
2020516155.tif 000054
【０２３０】
例えば、基地局は、表１５及び図１０のＣ１ないしＣ４のうち少なくとも１つのパターンをＲＲＣシグナリングを介して端末に送信する。以後、基地局は少なくとも１つのパターンのうち特定のパターンをｆｒｏｎｔ−ｌｏａｄｅｄ ＤＭＲＳ及び／又はａｄｄｉｔｉｏｎａｌ ＤＭＲＳの周波数密度に設定しようとする場合、端末にＤＣＩシグナリングを送信して特定のパターンをｆｒｏｎｔ−ｌｏａｄｅｄ ＤＭＲＳ及び／又はａｄｄｉｔｉｏｎａｌ ＤＭＲＳの周波数パターンとして使用するように指示することができる。
【０２３１】
下記の表１６は、ＤＣＩシグナリングを介してａｄｄｉｔｉｏｎａｌ ＤＭＲＳの数によって異なる周波数パターンを設定する一例を示す。
【０２３２】
【表１６】
2020516155.tif 000055
【０２３３】
図１６の（ａ）は、ｆｒｏｎｔ−ｌｏａｄｅｄ ＤＭＲＳのみが設定された場合の一例を示し、図１６の（ｂ）ないし（ｄ）は、ｆｒｏｎｔ−ｌｏａｄｅｄ ＤＭＲＳだけでなくａｄｄｉｔｉｏｎａｌ ＤＭＲＳが追加で設定された場合の一例を示す。
【０２３４】
図１６の（ｂ）ないし（ｄ）に示すように、ｆｒｏｎｔ−ｌｏａｄｅｄ ＤＭＲＳだけでなくａｄｄｉｔｉｏｎａｌ ＤＭＲＳが追加で設定された場合、ｆｒｏｎｔ−ｌｏａｄｅｄ ＤＭＲＳのみが設定された図１６の（ａ）よりｆｒｏｎｔ−ｌｏａｄｅｄ ＤＭＲＳの周波数密度が低密度に設定される。
【０２３５】
また、ａｄｄｉｔｉｏｎａｌ ＤＭＲＳが設定されたＯＦＤＭシンボルの数によってｆｒｏｎｔ−ｌｏａｄｅｄ ＤＭＲＳ及びＡｄｄｉｔｉｏｎａｌ ＤＭＲＳの周波数密度が異なるように設定されることができる。
【０２３６】
すなわち、ａｄｄｉｔｉｏｎａｌ ＤＭＲＳが設定されたＯＦＤＭシンボルの個数が増加するほどＲＳのオーバーヘッドを減少させるためにｆｒｏｎｔ−ｌｏａｄｅｄ ＤＭＲＳ及びａｄｄｉｔｉｏｎａｌ ＤＭＲＳの周波数密度が低密度に設定されることがある。
【０２３７】
または、送受信端は、事前に設定された第１設定値及び／又は第２設定値によりｆｒｏｎｔ−ｌｏａｄｅｄ ＤＭＲＳ及びａｄｄｉｔｉｏｎａｌ ＤＭＲＳのパターン及び密度を設定することができる。
【０２３８】
この場合、第２設定値は、図１４及び表１５において説明した方法が適用されることができる。
【０２３９】
また、第１設定値及び第２設定値は、ｆｒｏｎｔ−ｌｏａｄｅｄ ＤＭＲＳ及びａｄｄｉｔｉｏｎａｌ ＤＭＲＳのパターンによって同一か異なるパターンを示すことができる。
【０２４０】
また、第１設定値は、ａｄｄｉｔｉｏｎａｌ ＤＭＲＳの時間密度と関連して設定される。すなわち、ａｄｄｉｔｉｏｎａｌ ＤＭＲＳが設定されたＯＦＤＭシンボル数によって第１設定値が決定されることができる。
【０２４１】
または、第１設定値及び／又は第２設定値は、送信レイヤの数によって決定されることができる。
【０２４２】
図１７ないし図１９は、本明細書で提案するリソース領域にマッピングされる復調参照信号の密度が追加の復調参照信号の密度より小さい場合の一例を示す。
【０２４３】
図１７ないし図１９に示すように、ｆｒｏｎｔ−ｌｏａｄｅｄ ＤＭＲＳの他にａｄｄｉｔｉｏｎａｌ ＤＭＲＳが設定される場合、ａｄｄｉｔｉｏｎａｌ ＤＭＲＳの周波数密度をｆｒｏｎｔ−ｌｏａｄｅｄ ＤＭＲＳの周波数密度より高密度に設定することができる。
【０２４４】
具体的には、ｆｒｏｎｔ−ｌｏａｄｅｄ ＤＭＲＳがＯＦＤＭシンボルに低密度に設定されている場合、大きな遅延スプレッド（large delay spread）チャネル環境においてはチャネル推定性能が低い可能性がある。従って、大きな遅延スプレッド（large delay spread）チャネル環境においてチャネル推定性能を向上させるためにａｄｄｉｔｉｏｎａｌ ＤＭＲＳとｆｒｏｎｔ−ｌｏａｄｅｄ ＤＭＲＳがＯＦＤＭシンボルに共にマッピングされる場合、ｆｒｏｎｔ−ｌｏａｄｅｄ ＤＭＲＳの周波数密度をｆｒｏｎｔ−ｌｏａｄｅｄ ＤＭＲＳのみがマッピングされる場合と同一に設定し、ａｄｄｉｔｉｏｎａｌ ＤＭＲＳの周波数密度をｆｒｏｎｔ−ｌｏａｄｅｄ ＤＭＲＳの周波数密度より高密度に設定することができる。
【０２４５】
例えば、図１７の（ａ）に示すように、アンテナポートｐ０及びｐ１に対して３番目のＯＤＦＭシンボル（ｌ＝２）にｆｒｏｎｔ−ｌｏａｄｅｄ ＤＭＲＳが低密度に設定される場合、図１７の（ｂ）に示すように追加のａｄｄｉｔｉｏｎａｌ ＤＭＲＳが９番目のＯＦＤＭシンボル（ｌ＝８）にｆｒｏｎｔ−ｌｏａｄｅｄ ＤＭＲＳの周波数密度より高密度に設定される。
【０２４６】
このとき、ａｄｄｉｔｉｏｎａｌ ＤＭＲＳの周波数密度に対する可能な候補（possible candidates）は、基地局から端末にＲＲＣシグナリングを介して通知されることができる。また、基地局から端末にＤＣＩシグナリングを介して特定の値を通知することにより、該当周波数を構成するようにすることができる。
【０２４７】
例えば、図１８に示すように可能なａｄｄｉｔｉｏｎａｌ ＤＭＲＳの周波数密度（frequency density）のＣ１、Ｃ２のうち一部又は全体をＲＲＣシグナリングを介して端末に設定した後、ＤＣＩシグナリングを介して動的に実際ａｄｄｉｔｉｏｎａｌ ＤＭＲＳのパターンを設定することができる。
【０２４８】
このとき、ＲＲＣシグナリングを介して可能なａｄｄｉｔｉｏｎａｌ ＤＭＲＳのパターンの一部のパターンを設定する場合、ＤＣＩシグナリングに必要なシグナリングオーバーヘッド（signaling overhead）が減少する。
【０２４９】
または、基地局がＲＲＣシグナリングを介して特定のａｄｄｉｔｉｏｎａｌ ＤＭＲＳのパターンを端末に通知する場合、端末は、ＲＲＣシグナリングを介して構成した特定のパターンに基づいてａｄｄｉｔｉｏｎａｌ ＤＭＲＳを使用する。
【０２５０】
すなわち、ＲＲＣシグナリングを介して、基地局は、端末が使用するａｄｄｉｔｉｏｎａｌ ＤＭＲＳのパターンを通知することにより、ＤＣＩシグナリングによるシグナリングオーバーヘッド（signaling overhead）を無くし、上位層シグナリング（higher layer signaling）を介してａｄｄｉｔｉｏｎａｌ ＤＭＲＳのパターンを設定することができる。
【０２５１】
または、送受信端は、既に設定されたパターンに応じてａｄｄｉｔｉｏｎａｌ ＤＭＲＳを設定することができる。例えば、送受信端は、図１０に示すａｄｄｉｔｉｏｎａｌ ＤＭＲＳのパターンであるＣ１及びＣ２のうち、特定のパターンを固定的に使用するように設定されることができる。
【０２５２】
図１９の（ａ）は「Ｃ１」のパターンに応じてａｄｄｉｔｉｏｎａｌ ＤＭＲＳが設定された場合の一例を示し、（ｂ）は「Ｃ２」のパターンに応じてａｄｄｉｔｉｏｎａｌ ＤＭＲＳが設定された場合の一例を示す。
【０２５３】
図７ないし図１９において説明したｆｒｏｎｔ−ｌｏａｄｅｄ ＤＭＲＳ及びａｄｄｉｔｉｏｎａｌ ＤＭＲＳの周波数密度を設定する方法は、ダウンリンクだけでなくアップリンクにおいても適用できる。
【０２５４】
図２０は、本明細書で提案する追加の復調参照信号を設定するための方法の一例を示す。
【０２５５】
時間軸に変化するチャネルを推定するためには、図２０の（ａ）及び（ｂ）に示すようにｆｒｏｎｔ−ｌｏａｄ ＤＭＲＳだけでなく、ｆｒｏｎｔ−ｌｏａｄ ＤＭＲＳと同一のパターンを有するＤＭＲＳを時間軸上に追加で設定する必要性がある。
【０２５６】
図２０の（ａ）は、１つのＯＤＦＭシンボルに設定されたｆｒｏｎｔ−ｌｏａｄｅｄ ＤＭＲＳ及びａｄｄｉｔｉｏｎａｌ ＤＭＲＳの一例を示し、図２０の（ｂ）は、２つのＯＦＤＭシンボルに設定されたｆｒｏｎｔ−ｌｏａｄｅｄ ＤＭＲＳ及びａｄｄｉｔｉｏｎａｌ ＤＭＲＳの一例を示す。
【０２５７】
しかしながら、速いスピードで移動するＵＥ（例えば、５００ｋｍ／ｈ）のチャネル推定をサポートするためには多数の追加のＤＭＲＳが必要であるが、このような多数の追加のＤＭＲＳは前述したようにＲＳのオーバーヘッドを大幅に増加させるようになる。
【０２５８】
従って、以下、ＲＳのオーバーヘッドを低く維持しながらＤＭＲＳの時間軸密度を増加させる方法を提案する。
【０２５９】
図２１ないし図２３は、本明細書で提案する復調参照信号及び追加の復調参照信号を設定するための方法の一例を示す。
【０２６０】
図２１ないし図２３に示すように、ＤＭＲＳの時間密度を増加させ、周波数密度を減少させることにより、ＤＭＲＳの時間軸上の密度の増加によるＲＳのオーバーヘッドの増加を防止することができる。
【０２６１】
具体的に、基地局がｆｒｏｎｔ−ｌｏａｄ ＤＭＲＳだけでなくａｄｄｉｔｉｏｎａｌ ＤＭＲＳを設定する場合に、基地局は、同一のＤＭＲＳパターンを有する周波数軸単位を示す第１パターン情報及び同一のＤＭＲＳパターングループ（same DMRS pattern group：ＳＰＧ）間のＤＭＲＳの時間軸間隔を示す第２パターン情報を端末に送信する。
【０２６２】
このとき、第１パターン情報及び第２パターン情報は、上位層シグナリング（例えば、ＲＲＣ及び／又はＭＡＣ ＣＥ）及び／又はＤＣＩシグナリングを介して端末に送信されることができる。
【０２６３】
基地局は、ＳＰＧ内において、ｆｒｏｎｔ−ｌｏａｄ ＤＭＲＳ及びａｄｄｉｔｉｏｎａｌ ＤＭＲＳは、それぞれ同一のＯＦＤＭシンボルに位置するように設定する。また、ＳＰＧ間のＤＭＲＳは、互いに第２パターン情報が示すＯＦＤＭシンボル間隔を置いて位置するように設定する。
【０２６４】
図２１の（ａ）は、第１パターン情報が「１２」で、第２パターン情報が「０」に設定された場合の一例であり、ｆｒｏｎｔ−ｌｏａｄｅｄ ＤＭＲＳ及びａｄｄｉｔｉｏｎａｌ ＤＭＲＳが１つのシンボルに設定された場合と同一である。
【０２６５】
図２１の（ｂ）は、第１パターン情報が「２」で、第２パターン情報が「３」に設定された場合の一例を示す。図２１の（ｂ）と（ａ）を比較すると、（ａ）と（ｂ）は同一のＲＳのオーバーヘッドを有するが、（ｂ）が時間軸にさらに多いＤＭＲＳが設定される。
【０２６６】
従って、図２１の（ｂ）のようにｆｒｏｎｔ−ｌｏａｄｅｄ ＤＭＲＳ及びａｄｄｉｔｉｏｎａｌ ＤＭＲＳが設定される場合、端末は、図２１の（ａ）のようにｆｒｏｎｔ−ｌｏａｄｅｄ ＤＭＲＳ及びａｄｄｉｔｉｏｎａｌ ＤＭＲＳが設定された場合より多いチャネル推定のためのサンプル値を取得することができる。
【０２６７】
図２１の（ｃ）は、第１パターン情報が「４」で、第２パターン情報が「３」に設定された場合の一例を示す。この場合、２つのｆｒｏｎｔ−ｌｏａｄｅｄ ＤＭＲＳ及びａｄｄｉｔｉｏｎａｌ ＤＭＲＳが１つのシンボルに設定された場合とＲＳのオーバーヘッドは同一であるが、前述したように、端末はチャネル推定を効率的に行うことができる。
【０２６８】
このような方法により同一のＲＳのオーバーヘッドを維持しながら、時間軸にＤＭＲＳ密度を増加させて時変チャネルにおいてチャネル推定性能を向上させることができる。
【０２６９】
また、両ＳＰＧ間のＤＭＲＳ間隔を基地局が端末に設定してあげることができるため、様々なスロット構造において両ＳＰＧ間のＤＭＲＳの間隔を流動的に設定することができる。
【０２７０】
本発明のまた他の実施形態として、基地局は第１パターン情報及び第２パターン情報を介してｆｒｏｎｔ−ｌｏａｄｅｄ ＤＭＲＳ及びａｄｄｉｔｉｏｎａｌ ＤＭＲＳを設定するとき、スロットの構造を考慮して設定することができる。
【０２７１】
例えば、図２２に示すようにダウンリンクデータの送信のためのスロットにガード区間（guard period）又はアップリンクチャネルが設定された場合、ｆｒｏｎｔ−ｌｏａｄｅｄ ＤＭＲＳ及びａｄｄｉｔｉｏｎａｌ ＤＭＲＳのＳＰＧ間のＤＭＲＳの間隔はこれを考慮して設定されてもよい。
【０２７２】
または、ｆｒｏｎｔ−ｌｏａｄｅｄ ＤＭＲＳ及びａｄｄｉｔｉｏｎａｌ ＤＭＲＳは、他の参照信号との多重化を考慮して設定されてもよい。
【０２７３】
具体的に、基地局は、ＣＳＩ−ＲＳなどのような参照信号との多重化を考慮して他の参照信号のパターンと多重化されるように第１パターン情報を調節してｆｒｏｎｔ−ｌｏａｄｅｄ ＤＭＲＳ及びａｄｄｉｔｉｏｎａｌ ＤＭＲＳを設定することができる。
【０２７４】
例えば、図２３の（ａ）及び（ｂ）に示すようにＣＳＩ−ＲＳが設定される場合、アンテナポートｐ０、ｐ１、ｐ２及びｐ３のｆｒｏｎｔ−ｌｏａｄｅｄ ＤＭＲＳ及びａｄｄｉｔｉｏｎａｌ ＤＭＲＳはＣＳＩ−ＲＳとの多重化を考慮して設定される。
【０２７５】
第１パターン情報、第２パターン情報及びＳＰＧの構成は、同一のプリコーディングマトリックスが適用されるリソースブロックグループ（resource block group：ＰＲＧ）間に同一に設定されることができる。
【０２７６】
異なるプリコーディングマトリックスが適用されるリソースブロックグループ（resource block group：ＰＲＧ）間には異なるプリコーディングマトリックスが設定され得るため、チャネルの推定過程でＰＲＧ間の補間（interpolation）が行わない。
【０２７７】
この場合、本明細書で説明したチャネル推定過程で、時間領域にチャネル推定サンプルを増加させる方法によりチャネル補間（interpolation）性能を向上させることができる。
【０２７８】
従って、異なるＰＲＧ間にチャネル補間（interpolation）を行わないため、異なるＰＲＧ間には同一の第１パターン情報、第２パターン情報の設定値及びＳＰＧの構成を設定することができる。
【０２７９】
図２４ないし図２８は、本明細書で提案する復調参照信号及び追加の復調参照信号を時間領域において移動（Shifting）させるための方法の一例を示す。
【０２８０】
図２４ないし図２８に示すように、追加のＤＭＲＳの送信によるＲＳのオーバーヘッドを減らすために、追加のＤＭＲＳのＯＦＤＭシンボルの位置を特定の間隔で異なるように設定することができる。
【０２８１】
具体的に、基地局は、ｆｒｏｎｔ−ｌｏａｄｅｄ ＤＭＲＳの他にａｄｄｉｔｉｏｎａｌ ＤＭＲＳをＯＦＤＭシンボルにマッピングする場合、ａｄｄｉｔｉｏｎａｌ ＤＭＲＳの送信によるチャネル推定効果を増加させ、ＲＳのオーバーヘッドを減らすためにａｄｄｉｔｉｏｎａｌ ＤＭＲＳがマッピングされるＯＦＤＭシンボルの位置をリソースブロックごとに異なるように設定することができる。
【０２８２】
すなわち、ａｄｄｉｔｉｏｎａｌ ＤＭＲＳの時間密度は増加させ、ＲＳのオーバーヘッドの増加は最小化するために、基地局は、ａｄｄｉｔｉｏｎａｌ ＤＭＲＳの位置をリソースブロック単位で移動させることができる。
【０２８３】
基地局は、ａｄｄｉｔｉｏｎａｌ ＤＭＲＳの位置をリソースブロックレベルによって移動する場合、上位層シグナリング（例えば、ＲＲＣ及び／又はＭＡＣ ＣＥ）及び／又はＤＣＩシグナリングを介してａｄｄｉｔｉｏｎａｌ ＤＭＲＳの移動（shifting）が適用されたか否かを端末に通知することができる。
【０２８４】
すなわち、ａｄｄｉｔｉｏｎａｌ ＤＭＲＳの移動を上位層シグナリング（例えば、ＲＲＣ及び／又はＭＡＣ ＣＥ）及び／又はＤＣＩシグナリングを介して端末に設定することができる。
【０２８５】
端末は、上位層シグナリング及び／又はＤＣＩシグナリングを介してａｄｄｉｔｉｏｎａｌ ＤＭＲＳの移動が適用されたか否かが分かり、ａｄｄｉｔｉｏｎａｌ ＤＭＲＳの移動が適用された場合、端末は、ＲＢのレベルによって異なる位置のリソースエレメント（resource element）においてＤＭＲＳを受信することができる。
【０２８６】
図２４は、上位層シグナリングを介して特定のＲＢのレベルごとにａｄｄｉｔｉｏｎａｌ ＤＭＲＳのＯＦＤＭシンボルの位置が４つのＯＦＤＭシンボルの分だけ移動されて設定される場合の一例を示す。
【０２８７】
上位層シグナリングを介してａｄｄｉｔｉｏｎａｌ ＤＭＲＳの移動が設定されて偶数ＲＢ（even RB）のａｄｄｉｔｉｏｎａｌ ＤＭＲＳの位置が第１位置である場合、奇数ＲＢ（odd RB）のａｄｄｉｔｉｏｎａｌ ＤＭＲＳの位置は第１の位置から特定のＯＦＤＭシンボルの分だけ移動された第２の位置に設定される。
【０２８８】
例えば、図２４において第１位置が８番目のＯＦＤＭシンボル（ｌ＝７）である場合、第２位置は１２番目のＯＦＤＭシンボル（ｌ＝１１）になる。
【０２８９】
この場合、ａｄｄｉｔｉｏｎａｌ ＤＭＲＳが移動されるか否かはＤＣＩの１ｂｉｔ情報を介して流動的に端末に設定される。
【０２９０】
または、基地局は、上位層シグナリング（例えば、ＲＲＣ及び／又はＭＡＣ ＣＥ）及び／又はＤＣＩシグナリングを介してａｄｄｉｔｉｏｎａｌ ＤＭＲＳの位置を端末に設定することができる。このとき、偶数ＲＢ（even RB）のａｄｄｉｔｉｏｎａｌ ＤＭＲＳの位置を示す第１位置情報及び奇数ＲＢ（odd RB）のａｄｄｉｔｉｏｎａｌ ＤＭＲＳの位置を示す第２位置情報を端末に送信することにより、端末にａｄｄｉｔｉｏｎａｌ ＤＭＲＳの位置を設定することができる。
【０２９１】
図２５は、ＲＢ単位ごとにマッピング可能なａｄｄｉｔｉｏｎａｌ ＤＭＲＳの位置の一例を示す。
【０２９２】
図２５の（ａ）は、ａｄｄｉｔｉｏｎａｌ ＤＭＲＳが８番目のＯＦＤＭシンボル（ｌ＝７）に設定された場合の一例を示し、図２５の（ｂ）は、ａｄｄｉｔｉｏｎａｌ ＤＭＲＳが１０番目のＯＦＤＭシンボル（ｌ＝９）に設定された場合の一例を示す。
【０２９３】
図２５の（ｃ）は、ａｄｄｉｔｉｏｎａｌ ＤＭＲＳが１２番目のＯＦＤＭシンボル（ｌ＝１１）に設定された場合の一例を示す。
【０２９４】
基地局は、図２５の（ａ）ないし（ｃ）のうち１つを示す第１位置情報及び第２位置情報を端末に送信し、端末は、送信された第１位置情報及び第２位置情報に基づいてａｄｄｉｔｉｏｎａｌ ＤＭＲＳの位置を設定することができる。
【０２９５】
例えば、第１位置情報が図２５の（ｂ）を示し、第２位置情報が図２５の（ｃ）を示す場合、ａｄｄｉｔｉｏｎａｌ ＤＭＲＳは、図２６のように設定される。
【０２９６】
図２７は、特定のＰＲＢ単位ごとにａｄｄｉｔｉｏｎａｌ ＤＭＲＳだけでなくｆｒｏｎｔ−ｌｏａｄｅｄ ＤＭＲＳの位置も移動させる方法の一例を示す。
【０２９７】
基地局は、特定の条件を満足してｆｒｏｎｔ−ｌｏａｄｅｄ ＤＭＲＳの他にａｄｄｉｔｉｏｎａｌ ＤＭＲＳが追加で設定される場合、ＲＳのオーバーヘッドの増加を防止するために、ｆｒｏｎｔ−ｌｏａｄｅｄ ＤＭＲＳ及びａｄｄｉｔｉｏｎａｌ ＤＭＲＳのスロット内のＯＦＤＭシンボル位置が特定のＰＲＢごとに移動するように設定することができる。
【０２９８】
図２７は、１ＰＲＢごとにｆｒｏｎｔ−ｌｏａｄｅｄ ＤＭＲＳ及びａｄｄｉｔｉｏｎａｌ ＤＭＲＳのスロット内のＯＦＤＭシンボルの位置が変更される方法の一例を示す。
【０２９９】
この場合、ｆｒｏｎｔ−ｌｏａｄｅｄ ＤＭＲＳ及びａｄｄｉｔｉｏｎａｌ ＤＭＲＳの位置が移動されるＰＲＢの単位を示すＰＲＢ情報は、下記の方法により暗示的又は明示的に端末にシグナリングされることができる。
【０３００】
暗示的シグナリング：端末は、ｆｒｏｎｔ−ｌｏａｄｅｄ ＤＭＲＳ及びａｄｄｉｔｉｏｎａｌ ＤＭＲＳのＯＦＤＭのシンボル位置の設定と関連した少なくとも１つのパラメータ（例えば、端末に割り当てられた帯域幅（bandwidth：ＢＷ））に基づいて、ＰＲＢ 情報を認識することができる。または、送受信端において既に設定された値を利用してＰＲＢ情報を認識することができる。
【０３０１】
明示的シグナリング：基地局は、ＰＲＢ情報を上位層シグナリング及び／又はＤＣＩシグナリングを介して端末に送信することができる。
【０３０２】
基地局は、ｆｒｏｎｔ−ｌｏａｄｅｄ ＤＭＲＳ及びａｄｄｉｔｉｏｎａｌ ＤＭＲＳの位置が移動することが適用されるか否かを上位層シグナリング及び／又はＤＣＩシグナリングを介して端末に通知することができる。
【０３０３】
または、ｆｒｏｎｔ−ｌｏａｄｅｄ ＤＭＲＳ及びａｄｄｉｔｉｏｎａｌ ＤＭＲＳの位置の移動が特定の条件で適用されるように基地局と端末の間に当該動作を事前に定義することができる。
【０３０４】
このとき、特定の条件は、ＤＭＲＳの時間軸ドメイン密度が「ｘ」以上及び／又はアンテナポートの数が「ｙ」以上である場合であり得る。
【０３０５】
基地局は特定の条件及びＰＲＢ情報を端末に送信することができ、端末は受信された特定の条件及びＰＲＢ情報に基づいて特定の条件を満足する場合、アンテナポートごとにＤＭＲＳが送信される位置を認識することができる。
【０３０６】
図２４ないし図２７で説明した方法は、ｆｒｏｎｔ−ｌｏａｄｅｄ ＤＭＲＳが１つのＯＦＤＭシンボルに設定される場合を例に挙げて説明したが、ｆｒｏｎｔ−ｌｏａｄｅｄ ＤＭＲＳが２つのＯＦＤＭシンボルに設定される場合にも適用されることができる。
【０３０７】
本発明のまた他の実施形態として図２８に示すように特定のＰＲＢ単位でｆｒｏｎｔ−ｌｏａｄｅｄ ＤＭＲＳ又はａｄｄｉｔｉｏｎａｌ ＤＭＲＳをオン／オフすることができる。
【０３０８】
基地局は、特定の条件を満足してｆｒｏｎｔ−ｌｏａｄｅｄ ＤＭＲＳの他にａｄｄｉｔｉｏｎａｌ ＤＭＲＳが追加で設定される場合、ＲＳのオーバーヘッドの増加を防止するために、ｆｒｏｎｔ−ｌｏａｄｅｄ ＤＭＲＳ及びａｄｄｉｔｉｏｎａｌ ＤＭＲＳを特定のＰＲＢごとにオン／オフされるように設定することができる。
【０３０９】
図２８は、１ＰＲＢごとにそれぞれ２つのＯＦＤＭシンボルに設定されたｆｒｏｎｔ−ｌｏａｄｅｄ ＤＭＲＳ又はａｄｄｉｔｉｏｎａｌ ＤＭＲＳがオン／オフされる方法の一例を示す。
【０３１０】
この場合、ｆｒｏｎｔ−ｌｏａｄｅｄ ＤＭＲＳ及びａｄｄｉｔｉｏｎａｌ ＤＭＲＳが活性化又は非活性化（又は、オン又はオフ）されるＰＲＢ単位を示すＰＲＢ情報は、前述した方法と同一の方法により暗示的又は明示的に端末にシグナリングされることができる。
【０３１１】
また、基地局は、ｆｒｏｎｔ−ｌｏａｄｅｄ ＤＭＲＳ及びａｄｄｉｔｉｏｎａｌ ＤＭＲＳが活性化または非活性化（又は、オン又はオフ）される特定の条件を上位層シグナリング及び／又はＤＣＩシグナリングを介して端末に通知することができる。
【０３１２】
このとき、特定の条件は、ＤＭＲＳの時間軸ドメイン密度が「ｘ」以上及び／又はアンテナポートの数が「ｙ」以上である場合であり得る。
【０３１３】
基地局は特定の条件及びＰＲＢ情報を端末に送信することができ、端末は受信された特定の条件及びＰＲＢ情報に基づいて特定の条件を満足する場合、アンテナポートごとにＤＭＲＳが送信される位置を認識することができる。
【０３１４】
または、基地局は、ｆｒｏｎｔ−ｌｏａｄｅｄ ＤＭＲＳ及びａｄｄｉｔｉｏｎａｌ ＤＭＲＳが活性化又は非活性化される動作を適用するか否かを上位層シグナリング及び／又はＤＣＩシグナリングを介して端末に通知することができる。
【０３１５】
または、ｆｒｏｎｔ−ｌｏａｄｅｄ ＤＭＲＳ及びａｄｄｉｔｉｏｎａｌ ＤＭＲＳが活性化又は非活性化される動作が特定の条件で適用されるように基地局と端末の間に当該動作を事前に定義することができる。
【０３１６】
図２０ないし図２８で説明したｆｒｏｎｔ−ｌｏａｄｅｄ ＤＭＲＳ及びａｄｄｉｔｉｏｎａｌ ＤＭＲＳの位置を設定する方法は、ダウンリンクだけでなくアップリンクにおいても適用できる。
【０３１７】
図２９は、本明細書で提案する復調参照信号の多重化方法の一例を示す。
【０３１８】
図２９に示すように、ＤＭＲＳのシーケンスが異なるＤＭＲＳを多重化することができ、ＴＤ−ＯＣＣにより異なる波形（waveform）間に直交（orthogonal）分離を行うことができる。
【０３１９】
具体的には、ｆｒｏｎｔ−ｌｏａｄｅｄ ＤＭＲＳ及びａｄｄｉｔｉｏｎａｌ ＤＭＲＳはアップリンク又はダウンリンク波形（waveform）によってそれぞれＤＭＲＳシーケンスが異なる場合がある。例えば、ＣＰ−ＯＦＤＭの場合、ＰＮシーケンスが利用され、ＤＦＴ−Ｓ−ＯＦＤＭの場合、ＺＣシーケンスが用いられることができる。
【０３２０】
この場合、異なるシーケンスが適用されたＤＭＲＳ間に多重化が考慮されることができ、異なるシーケンスが適用されたＤＭＲＳが多重化された場合、ＴＤ−ＯＣＣを利用して異なる波形間に直交（orthogonal）分離が可能であり得る。
【０３２１】
すなわち、異なる波形間に直交（orthogonal）分離のためにＤＭＲＳシーケンスをＯＦＤＭシンボル単位で定義し、全てのＤＭＲＳシンボル（又は、ｆｒｏｎｔ−ｌｏａｄ ＤＭＲＳ及び／又はａｄｄｉｔｉｏｎａｌ ＤＭＲＳの場合）は同一のシーケンスを用いる。
【０３２２】
ＤＭＲＳシーケンスとＴＤ−ＯＣＣを用いて時間領域に異なる波形のＤＭＲＳを分離する。
【０３２３】
例えば、図２９において、ａ、ｂは、それぞれＰＮシーケンス、ＺＣシーケンスをベースにしてＯＦＤＭシンボル単位で生成されたＤＭＲＳシーケンスを意味する。
【０３２４】
シンボル単位で同一のＲＳシーケンスを使用するので、両波形（waveform）に使われるシーケンスは異なるが、ＴＤ−ＯＣＣにより２つのＤＭＲＳを直交（orthogonal）分離することができる。
【０３２５】
図３０は、本明細書で提案する復調参照信号のパターンを設定する方法の一例を示す。
【０３２６】
具体的に、ＤＦＴ−Ｓ−ＯＦＤＭのためのＤＭＲＳパターンとＣｏｍｂ １、Ｃｏｍｂ ２などのＣｏｍｂを利用するＩＦＤＭ形態を使用することができる。
【０３２７】
この場合、基地局は、端末に実際のＤＭＲＳ送信のために使用するリソースに対する指示（indication）を送信しなければならない。しかしながら、ＣＰ−ＯＦＤＭと異なり、ＤＦＴ−Ｓ−ＯＦＤＭは１ポート送信（one port transmission）に制限されることもある。
【０３２８】
最大ポート（maximum port）が１に制限される場合、１ポート（port）を送信できるＤＭＲＳリソースは様々な形態で定義されることができる。例えば、異なる波形（waveform）間又は同一のＤＦＴ−Ｓ−ＯＦＤＭ端末間の多重化（multiplexing）を考慮して定義されることができる。
【０３２９】
このとき、基地局は、ＤＦＴ−Ｓ−ＯＦＤＭ ＤＭＲＳパターンをリソース形態で定義することができ、ＭＵが適用される場合、直交（orthogonal）（例えば、ＦＤＭ、ＴＤＭ、ＣＤＭを通じて）に送信されるように適切なリソースをＤＦＴ−Ｓ−ＯＦＤＭ端末に割り当てることができる。
【０３３０】
例えば、図３０に示すように、基地局は、ＤＦＴ−Ｓ−ＯＦＤＭのＤＭＲＳパターンをリソース形態に定義し、当該情報を構成して端末に通知する。
【０３３１】
ＤＭＲＳリソースの例：ＦＯ（frequency offset）、ＴＯ（time offset）、ＣＳ ｉｎｄｅｘ、時間ドメインシーケンス（time domain sequence）（例えば、ＴＤ−ＯＣＣに対して）、Ｃｏｍｂタイプ（例えば、Ｃｏｍｂ １、Ｃｏｍｂ ２）
【０３３２】
図７ないし図３０で説明した発明は、ダウンリンクＤＭＲＳに基づいて説明したが、アップリンクＤＭＲＳにも適用できることは自明である。
【０３３３】
図３１は、本明細書で提案する復調参照信号及び追加の復調参照信号を生成して送信する方法の一例を示したフローチャートである。
【０３３４】
図３１に示すように、基地局は、疑似ランダムシーケンスに基づいて復調参照信号を生成する（Ｓ３１０１０）。このとき、復調参照信号は、前述したｆｒｏｎｔ−ｌｏａｄｅｄ ＤＭＲＳ及び／又はａｄｄｉｔｉｏｎａｌ ＤＭＲＳであり得る。
【０３３５】
以後、基地局は、生成された復調参照信号シーケンスを送信プリコーディングによってリソースエレメントにマッピングする（Ｓ３１０２０）。このとき、基地局は、特定のパターンによって生成された復調参照信号シーケンスをリソースエレメントにマッピングすることができ、特定のパターンは、図７ないし図３０で説明したパターンのうち１つであり得る。
【０３３６】
以後、基地局は、特定のアンテナポートを利用して特定のリソース領域においてマッピングされた復調参照信号を少なくとも１つの端末に送信することができる（Ｓ３１０３０）。
【０３３７】
図３２は、本明細書で提案する復調参照信号及び追加の復調参照信号を送信してデータをデコードする方法の一例を示すフローチャートである。
【０３３８】
具体的に、端末は、特定のパターンに応じて設定された第１復調参照信号（Demodulation Reference Signal：ＤＭＲＳ）及び第２復調参照信号をＤＭＲＳシンボルを介して基地局から受信する（Ｓ３２０１０）。このとき、特定のパターンは、図７ないし図３０で説明したパターンのうち１つであり得る。
【０３３９】
このとき、第１復調参照信号及び第２復調参照信号のそれぞれは特定のアンテナポート上で送信され、他のアンテナポート上で送信される少なくとも１つの他の復調参照信号と同一の時間軸シンボル上に位置することができる。
【０３４０】
また、前記第２復調参照信号の時間軸シンボルの位置は送信されるデータのサービスタイプによって決定されることができる。
【０３４１】
以後、端末は受信された第１復調参照信号又は第２復調参照信号のうち少なくとも１つを利用してチャネルを推定し、推定されたチャネルを介してデータを受信してデコードすることができる（Ｓ３２０２０）。
【０３４２】
図３３は、本発明が適用できる無線装置の内部ブロック図の一例を示す図である。
【０３４３】
ここで、前記無線装置は、基地局及び端末であり得るし、基地局はマクロ基地局及びスモール基地局を全て含む。
【０３４４】
図３３に示すように、基地局３３１０及びＵＥ３３２０は、通信部（送受信部、ＲＦユニット）３３１３、３３２３、プロセッサ３３１１、３３２１、及びメモリ３３１２、３３２２を含む。
【０３４５】
この他、基地局及びＵＥは、入力部及び出力部をさらに含むことができる。
【０３４６】
前記通信部３３１３、３３２３、プロセッサ３３１１、３３２１、入力部、動力部、及びメモリ３３１２、３３２２は、本明細書で提案する方法を行うために機能的に連結されている。
【０３４７】
通信部（送受信部又はＲＦユニット）３３１３、３３２３は、ＰＨＹプロトコル（Physical Layer Protocol）から作成された情報を受信すると、受信した情報をＲＦスペクトル（Radio-Frequency Spectrum）に移し、フィルタリング（Filtering）、増幅（Amplification）などを行ってアンテナに送信する。また、通信部は、アンテナで受信されるＲＦ信号（Radio Frequency Signal）をＰＨＹプロトコルにおいて処理可能な帯域に移し、フィルタリングを行う機能をする。
【０３４８】
また、通信部は、このような送信と受信機能を切り替えるためのスイッチ（Switch）機能も含むことができる。
【０３４９】
プロセッサ３３１１、３３２１は、本明細書で提案された機能、過程及び／又は方法を実現する。無線インタフェースプロトコルの層はプロセッサにより実現されることができる。
【０３５０】
前記プロセッサは、制御部、コントローラ、制御ユニット、コンピュータなどで表現されることもできる。
【０３５１】
メモリ３３１２、３３２２は、プロセッサと接続されて、アップリンクリソース割り当て方法を行うためのプロトコルやパラメータを保存する。
【０３５２】
プロセッサ３３１１、３３２１は、ＡＳＩＣ（Application-Specific Integrated Circuit）、他のチップセット、論理回路及び／又はデータ処理装置を含むことができる。メモリは、ＲＯＭ（Read-Only Memory）、ＲＡＭ（Random Access Memory）、フラッシュメモリ、メモリカード、記憶媒体、及び／又は他の記憶装置を含むことができる。通信部は、無線信号を処理するためのベースバンド回路を含むことができる。実施形態がソフトウェアで実現されるとき、前述した手法は前述した機能を行うモジュール（過程、機能など）で実現されることができる。
【０３５３】
モジュールは、メモリに記憶され、プロセッサにより行われることができる。メモリは、プロセッサの内部又は外部にあり、周知の様々な手段でプロセッサと接続される。
【０３５４】
出力部（ディスプレイ部又は表示部）は、プロセッサにより制御され、キー入力部で発生するキー入力信号及びプロセッサからの各種情報信号とともに、前記プロセッサから出力される情報を出力する。
【０３５５】
さらに、説明の便宜のために各図面を分けて説明したが、各図面に述べられている実施形態を併合して新しい実施形態を実現するように設計することも可能である。また、当業者の必要に応じて、以前に説明された実施形態を実行するためのプログラムが記録されているコンピュータで読み取り可能な記録媒体を設計することも本発明の権利範囲に属する。
【０３５６】
本明細書による方法は、前記に説明された実施形態の構成と方法が限定的に適用されるのではなく、前記実施形態は様々な変形ができるように、各実施形態の全部又は一部が選択的に組み合わされて構成されることもできる。
【０３５７】
一方、本明細書に記載された方法は、ネットワークデバイスに備えられたプロセッサが読み取ることのできる記録媒体にプロセッサが読み取ることのできるコードとして実現することが可能である。プロセッサが読み取ることのできる記録媒体は，プロセッサによって読み取られることのできるデータが記憶されるすべての種類の記録装置を含む。プロセッサが読み取ることのできる記録媒体の例としては，ＲＯＭ，ＲＡＭ，ＣＤ−ＲＯＭ，磁気テープ，フロッピーディスク，光データ記憶装置などがあり，また，インターネットを介した送信などのようなキャリアウェーブの形態で実現されることも含む。また，プロセッサが読み取ることのできる記録媒体は，ネットワークで接続されたコンピュータシステムに分散されて，分散方式によってプロセッサが読み取ることのできるコードが記憶され，実行することができる。
【０３５８】
また、以上では本発明の好ましい実施形態に対して図示及び説明したが、本明細書は特定の実施形態に限定されず、請求範囲で請求する本発明の要旨から逸脱することなく、当該発明が属する技術分野で通常の知識を有する者により多様な変形実施が可能であることは勿論であり、このような変形実施は本発明の技術的思想や見通しから個別に理解されてはならない。
【０３５９】
そして、当該明細書では物の発明と方法の発明が全て説明されており、必要によって両発明の説明は補充的に適用できる。
【産業上の利用可能性】
【０３６０】
本発明の無線通信システムにおいて参照信号を送受信するための方法は、３ＧＰＰ ＬＴＥ／ＬＴＥ−Ａシステムに適用される例を中心に説明したが、３ＧＰＰ ＬＴＥ／ＬＴＥ−Ａシステム以外にも多様な無線通信システムに適用することが可能である。
【図１】
2020516155.tif 000056
【図２】
2020516155.tif 000057
【図３】
2020516155.tif 000058
【図４】
2020516155.tif 000059
【図５】
2020516155.tif 000060
【図６】
2020516155.tif 000061
【図７（ａ）】
2020516155.tif 000062
【図７（ｂ）】
2020516155.tif 000063
【図８（ａ）】
2020516155.tif 000064
【図８（ｂ）】
2020516155.tif 000065
【図９（ａ）】
2020516155.tif 000066
【図９（ｂ）】
2020516155.tif 000067
【図１０】
2020516155.tif 000068
【図１１（ａ）】
2020516155.tif 000069
【図１１（ｂ）】
2020516155.tif 000070
【図１１（ｃ）】
2020516155.tif 000071
【図１１（ｄ）】
2020516155.tif 000072
【図１２（ａ）】
2020516155.tif 000073
【図１２（ｂ）】
2020516155.tif 000074
【図１３（ａ）】
2020516155.tif 000075
【図１３（ｂ）】
2020516155.tif 000076
【図１４（ａ）】
2020516155.tif 000077
【図１４（ｂ）】
2020516155.tif 000078
【図１５（ａ）】
2020516155.tif 000079
【図１５（ｂ）】
2020516155.tif 000080
【図１６（ａ）】
2020516155.tif 000081
【図１６（ｂ）】
2020516155.tif 000082
【図１６（ｃ）】
2020516155.tif 000083
【図１６（ｄ）】
2020516155.tif 000084
【図１７（ａ）】
2020516155.tif 000085
【図１７（ｂ）】
2020516155.tif 000086
【図１８】
2020516155.tif 000087
【図１９（ａ）】
2020516155.tif 000088
【図１９（ｂ）】
2020516155.tif 000089
【図２０（ａ）】
2020516155.tif 000090
【図２０（ｂ）】
2020516155.tif 000091
【図２１（ａ）】
2020516155.tif 000092
【図２１（ｂ）】
2020516155.tif 000093
【図２１（ｃ）】
2020516155.tif 000094
【図２２】
2020516155.tif 000095
【図２３】
2020516155.tif 000096
【図２４】
2020516155.tif 000097
【図２５（ａ）】
2020516155.tif 000098
【図２５（ｂ）】
2020516155.tif 000099
【図２５（ｃ）】
2020516155.tif 000100
【図２６】
2020516155.tif 000101
【図２７】
2020516155.tif 000102
【図２８】
2020516155.tif 000103
【図２９】
2020516155.tif 000104
【図３０】
2020516155.tif 000105
【図３１】
2020516155.tif 000106
【図３２】
2020516155.tif 000107
【図３３】
2020516155.tif 000108
【国際調査報告】
2020516155.tif 000109
2020516155.tif 000110
2020516155.tif 000111
2020516155.tif 000112